(57)【要約】【課題】一以上の送信装置から一以上の受信装置に波長の異なる音映像光信号を同時に送信できるようにすると共に、各々の受信装置で、所望の音映像光信号を受信できるようにする。【解決手段】一以上の音声映像の送信装置３から一以上の音声映像の表示装置１へ経路切替装置２を介して音声映像光信号を伝送する場合であって、経路切替装置２は、経路切替手段１２を有し、音声映像光信号の送信先を特定するための特定波長の経路設定用光信号を表示装置１へ送信し、送信後、表示装置１から送信される応答光信号に基づいて特定波長と送信先の表示装置１とを対応付け、送信先の表示装置１に対応付けられた特定波長に基づいて、送信装置３から送信される音声映像光信号を波長分割多重し、波長分割多重された音声映像光信号を経路切替手段１２により分離して各々の表示装置１に送信するものである。【選択図】    図１
2007318539.tif 000002
【特許請求の範囲】
【請求項１】
一以上の音映像の送信装置から一以上の音映像の受信装置へ経路切替装置を介して音映像光信号を伝送するシステムであって、
前記音映像光信号の経路を設定するための所定波長の経路設定用光信号を前記経路切替装置へ送信する送信装置と、
前記送信装置により送信された所定波長の経路設定用光信号を前記音映像光信号の送信先を特定するための特定波長の経路設定用光信号に変換し、特定波長に変換された経路設定用光信号を前記受信装置に送信する経路切替装置と、
前記経路切替装置により送信された特定波長の経路設定用光信号を受信し、受信後、当該特定波長の経路設定用光信号に対する応答光信号を前記経路切替装置へ送信する受信装置と、
少なくとも、前記送信装置と前記経路切替装置とを接続し、更に、当該経路切替装置と前記受信装置とを接続するようになされる光信号伝送路とを備え、
前記経路切替装置は、光路分離手段を有し、
前記受信装置から送信された応答光信号に基づいて、前記特定波長と送信先の受信装置とを対応付け、前記送信先の受信装置に対応付けられた特定波長に基づいて、前記送信装置から送信される音映像光信号を波長分割多重し、その後、波長分割多重された音映像光信号を前記光路分離手段により分離して各々の受信装置に送信することを特徴とする光信号伝送システム。
【請求項２】
前記受信装置は、
前記経路切替装置に受信装置本体が接続された場合に、当該経路切替装置を介して前記送信装置へ接続通知光信号を送信し、
前記送信装置は、
前記受信装置から送信された前記接続通知光信号を受信し、受信後、前記所定波長の経路設定用光信号を前記経路切替装置へ送信することを特徴とする請求項１に記載の光信号伝送システム。
【請求項３】
一以上の音映像の送信系と一以上の音映像の受信系とを光路分離手段を介して接続し、送信系から受信系へ音映像光信号を伝送する方法であって、
前記送信系から経路を設定するための所定波長の経路設定用光信号を受信するステップと、
前記所定波長の経路設定用光信号を前記音映像光信号の送信先を特定するための特定波長の経路設定用光信号に変換するステップと、
特定波長に変換された経路設定用光信号を前記受信系に送信するステップと、
前記受信系から前記特定波長の経路設定用光信号に対する応答光信号を受信するステップと、
前記応答光信号に基づいて前記特定波長と送信先の受信系とを対応付けるステップと、
前記送信系から音映像光信号を受信するステップと、
受信した音映像光信号を前記送信先の受信系に対応付けられた特定波長に基づいて波長分割多重するステップと、
波長分割多重された音映像光信号を前記光路分離手段により分離して各々の受信系に送信するステップと
を有することを特徴とする光信号伝送方法。
【請求項４】
一以上の音映像の送信系から一以上の音映像の受信系へ伝送する音映像光信号の伝送経路を切り替える装置であって、
前記送信系から経路を設定するための所定波長の経路設定用光信号を受信し、当該所定波長の経路設定用光信号を前記音映像光信号の送信先を特定するための特定波長の経路設定用光信号に変換する複数の波長変換手段と、
前記波長変換手段により変換された特定波長の経路設定用光信号を多重化する光信号多重化手段と、
前記光信号多重化手段により多重化された当該特定波長の経路設定用光信号を分離して前記受信系に送信する複数の光路分離手段と、
前記光路分離手段により送信された特定波長の経路設定用光信号に対する応答光信号を前記受信系から受信する光信号受信手段と、
前記光信号受信手段により受信した応答光信号に基づいて、特定波長と送信先の受信系とを対応付ける波長変換制御手段とを備え、
前記複数の波長変換手段は、
前記波長変換制御手段により前記送信先の受信系に対応付けられた特定波長に基づいて、前記送信系から送信される音映像光信号の波長を変換し、
前記光信号多重化手段は、
前記波長変換手段により変換された音映像光信号を多重化し、
前記複数の光路分離手段は、
前記光信号多重化手段により多重化された音映像光信号を分離して各々の受信系に送信することを特徴とする経路切替装置。
【請求項５】
前記光路分離手段は、
１以上の波長から構成される光信号の中から所定の当該光信号を分離するグレーティング構造を有することを特徴とする請求項４に記載の経路切替装置。
【請求項６】
前記光路分離手段は、
１以上の波長から構成される光信号の中から所定の当該光信号を分離する薄膜構造を有することを特徴とする請求項４に記載の経路切替装置。
【請求項７】
前記光路分離手段は、
１以上の波長から構成される光信号の中から所定の当該光信号を分離するプリズムを備えることを特徴とする請求項４に記載の経路切替装置。
【発明の詳細な説明】
【技術分野】
【０００１】
動画などの音声映像情報を光信号として伝送するシステムに適用可能な光信号伝送システム、光信号伝送方法、及び経路切替装置に関するものである。
【０００２】
詳しくは、経路切替装置が、音映像光信号の送信先を特定するための特定波長の経路設定用光信号を受信装置へ送信し、送信後、受信装置から送信される応答光信号に基づいて特定波長と送信先の受信装置とを対応付け、送信先の受信装置に対応付けられた特定波長に基づいて、送信装置から送信される音映像光信号を波長分割多重し、波長分割多重された音映像光信号の光路を分離して各々の受信装置に送信することによって、一以上の送信装置から一以上の受信装置に波長の異なる音映像光信号を同時に送信できるようにすると共に、各々の受信装置で、所望の音映像光信号を受信できるようにする。
【背景技術】
【０００３】
従来、音声映像信号を送信する送信装置と音声映像信号を表示する表示装置とを接続する手段として使用されてきたのは、比較的短距離の電気ケーブルが主であった。例えば、アナログ伝送では、Ｄ端子ケーブルが使用され、デジタル伝送では、ＨＤＭＩ（High-Definition Multimedia Interface）ケーブルが使用されている。これらの電気ケーブルが使用されてきたのは、音声映像信号が低ビットレート、低周波であることや、伝送距離が短かったことに起因する。
【０００４】
近年、デジタル放送や次世代光ディスクの普及に伴い、標準解像度（Standard Definition; SD）のみならず、高解像度（High Definition; HD）映像を鑑賞することが増加している。この場合、音声映像光信号を送信する送信装置と光信号の経路切替装置と音声映像光信号を受信して表示する表示装置とが光ケーブルで接続され、送信装置から送信された音声映像光信号は、経路切替装置により光信号の伝送経路が切り替えられて表示装置へ伝送される。
【０００５】
例えば、特許文献１には、放送・通信サービスを支援する光加入者ネットワークシステムが開示されている。この光加入者ネットワークシステムによれば、時分割多重方式を使用することで、１以上の映像信号を単一の発光素子、受光素子、及び光信号伝送路で伝送する。これにより、信号ごとに光信号の波長を変えないで光信号を多重して伝送できるようになる。
【０００６】
特許文献２には、光映像分配装置が開示されている。この光映像分配装置によれば、外部からの光信号は第１光スイッチの入力チャネルに入力され、所望の出力チャネルから出力されるように経路が変更されて出力される。この出力された光信号は、送出装置により第２光スイッチの入力チャネルに戻されると共に外部に送出される。該第２光スイッチに戻された光信号は、該第２光スイッチで所望の出力チャネルから出力されるように経路が変更されて出力される。以上のような光信号の入出力が第１光スイッチ及び第２光スイッチで繰り返されることにより、１つの光信号を複数の出力チャネルに分配することができ、ノンブロッキングな光スイッチを構成できるようになる。
【０００７】
特許文献３には、テレビカメラによる複数チャネルの映像信号を光信号に変換して一つの光伝送路で遠隔地に伝送する多チャネル映像伝送システムが開示されている。多チャネル映像伝送システムによれば、テレビカメラ自体に映像信号を光信号に変換して出力する機能を持たせ、さらに各テレビカメラから出力される光信号の波長を互いに異ならせるか、または各テレビカメラから出力される光信号を外部で互いに異なる波長に変換して同一の光ファイバにより波長多重伝送し、受信側で各波長の光信号を分離してから電気信号に変換して処理するようにしたものである。これにより、複数台のテレビカメラで得られた映像信号を一つの光ファイバで波長多重光信号として遠隔伝送することができる。
【０００８】
【特許文献１】特開２００５−７３２６７号公報（第６頁、第３図）
【特許文献２】特開２００４−４３１６号公報（第４頁、第１図）
【特許文献３】特開２００１−５７５３６号公報（第３頁、第１図）
【発明の開示】
【発明が解決しようとする課題】
【０００９】
ところで、従来例に係る光信号の伝送方法によれば、送信装置から送信された音声映像光信号は、経路切替装置によりこの光信号の伝送経路が切り替えられて表示装置へ伝送される。このとき、表示装置が複数存在する場合、送信先の表示装置と音声映像光信号の波長とを対応付けることが難しいので、同時に複数の表示装置に所望の音声映像光信号を最適に伝送することが困難である。
【００１０】
特許文献１によれば、時分割多重方式を使用することで、１以上の映像信号を単一の発光素子、光信号伝送路で伝送している。このため、多重化後の信号のビットレートが多重化前に比べて高くなるので、このような高いビットレートの信号に対応した発光素子および受光素子を実装することは難しい。また、光−電気変換後に多重信号を分離するので、光−電気変換後からディスプレイまでの伝送距離が電気伝送可能な距離に制限されるため、長距離伝送は困難である。
【００１１】
特許文献２によれば、光信号が所望の出力チャネルから出力されるように第１光スイッチ及び第２光スイッチの経路が変更されているが、第１光スイッチ及び第２光スイッチの経路を切り替えるための制御信号を外部から別途供給する必要がある。また、電気機器３１及び３３から出力される電気信号を切り替えるセレクタ３３は、外部から供給される図示しない制御信号によって制御されているので、実際に信号送信先から映像信号源へ制御信号を送信した場合に、問題が発生する可能性がある。
【００１２】
特許文献３によれば、テレビカメラによる複数チャネルの映像信号を光信号に変換して一つの光伝送路で遠隔地のＴＶモニタ１０に伝送しているが、ＴＶモニタ１０が１台しか想定されておらず、２台以上のＴＶモニタが接続された場合に、システムが機能しない可能性がある。また、光信号の波長を設定する波長可変レーザ２２を切り替える波長切替制御部２３への制御信号を漠然と外部から手動／自動のいずれかによって与えているので、信号送信先から映像信号源へ制御信号を送信する場合、問題が発生するおそれがある。
【００１３】
そこで、本発明はこのような従来例に係る課題を解決したものであって、一以上の送信装置から一以上の受信装置に波長の異なる音映像光信号を同時に送信できるようにすると共に、各々の受信装置で、所望の音映像光信号を受信できるようにした光信号伝送システム、光信号伝送方法、及び経路切替装置を提供することを目的とする。
【課題を解決するための手段】
【００１４】
上述した課題を解決するために、本発明に係る請求項１に記載の光信号伝送システムは、一以上の音映像の送信装置から一以上の音映像の受信装置へ経路切替装置を介して音映像光信号を伝送するシステムであって、前記音映像光信号の経路を設定するための所定波長の経路設定用光信号を前記経路切替装置へ送信する送信装置と、前記送信装置により送信された所定波長の経路設定用光信号を前記音映像光信号の送信先を特定するための特定波長の経路設定用光信号に変換し、特定波長に変換された経路設定用光信号を前記受信装置に送信する経路切替装置と、前記経路切替装置により送信された特定波長の経路設定用光信号を受信し、受信後、当該特定波長の経路設定用光信号に対する応答光信号を前記経路切替装置へ送信する受信装置と、少なくとも、前記送信装置と前記経路切替装置とを接続し、更に、当該経路切替装置と前記受信装置とを接続するようになされた光信号伝送路とを備え、前記経路切替装置は、光路分離手段を有し、前記受信装置から送信された応答光信号に基づいて、前記特定波長と送信先の受信装置とを対応付け、前記送信先の受信装置に対応付けられた特定波長に基づいて、前記送信装置から送信される音映像光信号を波長分割多重し、波長分割多重された音映像光信号を前記光路分離手段により分離して各々の受信装置に送信することを特徴とするものである。
【００１５】
本発明に係る光信号伝送システムによれば、一以上の音映像の送信装置から一以上の音映像の受信装置へ経路切替装置を介して音映像光信号を伝送する場合であって、送信装置は、音映像光信号の経路を設定するための所定波長の経路設定用光信号を経路切替装置へ送信する。経路切替装置は、送信装置により送信された所定波長の経路設定用光信号を音映像光信号の送信先を特定するための特定波長の経路設定用光信号に変換し、特定波長に変換された経路設定用光信号を受信装置に送信する。受信装置は、経路切替装置により送信された特定波長の経路設定用光信号を受信し、受信後、当該特定波長の経路設定用光信号に対する応答光信号を経路切替装置へ送信する。経路切替装置は、光路分離手段を有し、受信装置から送信された応答光信号に基づいて、特定波長と送信先の受信装置とを対応付け、送信先の受信装置に対応付けられた特定波長に基づいて、送信装置から送信される音映像光信号を波長分割多重し、波長分割多重された音映像光信号を光路分離手段により分離して各々の受信装置に送信する。これにより、一以上の送信装置から一以上の受信装置に波長の異なる音映像光信号を同時に送信できるようになると共に、各々の受信装置で、所望の音映像光信号を受信できるようになる。
【００１６】
上述した課題を解決するために、本発明に係る請求項３に記載の光信号伝送方法は、一以上の音映像の送信系と一以上の音映像の受信系とを光路分離手段を介して接続し、送信系から受信系へ音映像光信号を伝送する方法であって、前記送信系から経路を設定するための所定波長の経路設定用光信号を受信するステップと、前記所定波長の経路設定用光信号を前記音映像光信号の送信先を特定するための特定波長の経路設定用光信号に変換するステップと、特定波長に変換された経路設定用光信号を前記受信系に送信するステップと、前記受信系から前記特定波長の経路設定用光信号に対する応答光信号を受信するステップと、前記応答光信号に基づいて前記特定波長と送信先の受信系とを対応付けるステップと、前記送信系から音映像光信号を受信するステップと、受信した音映像光信号を前記送信先の受信系に対応付けられた特定波長に基づいて波長分割多重するステップと、波長分割多重された音映像光信号を前記光路分離手段により分離して各々の受信系に送信するステップとを有することを特徴とするものである。
【００１７】
本発明に係る光信号伝送方法によれば、一以上の音映像の送信系と一以上の音映像の受信系とを光路分離手段を介して接続し、送信系から受信系へ音映像光信号を伝送する場合であって、一以上の送信系から一以上の受信系に波長の異なる音映像光信号を同時に送信できるようになると共に、各々の受信系で、所望の音映像光信号を受信できるようになる。これにより、各々の受信系で所望の映画、テレビ映像などを出力できるようになる。
【００１８】
上述した課題を解決するために、本発明に係る請求項４に記載の経路切替装置は、一以上の音映像の送信系から一以上の音映像の受信系へ伝送する音映像光信号の伝送経路を切り替える装置であって、前記送信系から経路を設定するための所定波長の経路設定用光信号を受信し、当該所定波長の経路設定用光信号を前記音映像光信号の送信先を特定するための特定波長の経路設定用光信号に変換する複数の波長変換手段と、前記波長変換手段により変換された特定波長の経路設定用光信号を多重化する光信号多重化手段と、前記光信号多重化手段により多重化された当該特定波長の経路設定用光信号を分離して前記受信系に送信する複数の光路分離手段と、前記光路分離手段により送信された特定波長の経路設定用光信号に対する応答光信号を前記受信系から受信する光信号受信手段と、前記光信号受信手段により受信した応答光信号に基づいて、特定波長と送信先の受信系とを対応付ける波長変換制御手段とを備え、前記複数の波長変換手段は、前記波長変換制御手段により前記送信先の受信系に対応付けられた特定波長に基づいて、前記送信系から送信される音映像光信号の波長を変換し、前記光信号多重化手段は、前記波長変換手段により変換された音映像光信号を多重化し、前記複数の光路分離手段は、前記光信号多重化手段により多重化された音映像光信号を分離して各々の受信系に送信することを特徴とするものである。
【００１９】
本発明に係る経路切替装置によれば、一以上の音映像の送信系から一以上の音映像の受信系へ伝送する音映像光信号の伝送経路を切り替える場合であって、複数の波長変換手段は、送信系から経路を設定するための所定波長の経路設定用光信号を受信し、所定波長の経路設定用光信号を音映像光信号の送信先を特定するための特定波長の経路設定用光信号に変換する。光信号多重化手段は、変換された特定波長の経路設定用光信号を多重化する。複数の光路分離手段は、光信号多重化手段により多重化された当該特定波長の経路設定用光信号を分離して受信系に送信する。光信号受信手段は、受信系から特定波長の経路設定用光信号に対する応答光信号を受信する。波長変換制御手段は、この応答光信号に基づいて、特定波長と送信先の受信系とを対応付ける。送信先の受信系に対応付けられた特定波長に基づいて、複数の波長変換手段は、送信系から送信される音映像光信号の波長を変換し、光信号多重化手段は、変換された音映像光信号を多重化し、複数の光路分離手段は、多重化された音映像光信号を分離して各々の受信系に送信する。これにより、一以上の送信系から一以上の受信系に波長の異なる音映像光信号を同時に送信できるようになると共に、各々の受信系で、所望の音映像光信号を受信できるようになる。
【発明の効果】
【００２０】
本発明に係る光信号伝送システム及び光信号伝送方法によれば、一以上の音映像の送信装置から一以上の音映像の受信装置へ経路切替装置を介して音映像光信号を伝送する場合であって、経路切替装置は、光路分離手段を有し、音映像光信号の送信先を特定するための特定波長の経路設定用光信号を受信装置へ送信し、送信後、受信装置から送信される応答光信号に基づいて特定波長と送信先の受信装置とを対応付け、送信先の受信装置に対応付けられた特定波長に基づいて、送信装置から送信される音映像光信号を波長分割多重し、波長分割多重された音映像光信号を光路分離手段により分離して各々の受信装置に送信するものである。
【００２１】
この構成によって、一以上の送信装置から一以上の受信装置に波長の異なる音映像光信号を同時に送信できるようになると共に、各々の受信装置で、所望の音映像光信号を受信できるようになる。これにより、各々の受信装置で所望の映画、テレビ映像などを出力できるようになる。
【００２２】
また、本発明に係る経路切替装置によれば、一以上の音映像の送信系から一以上の音映像の受信系へ伝送する音映像光信号の伝送経路を切り替える場合であって、音映像光信号の送信先を特定するための特定波長の経路設定用光信号に対する受信系からの応答光信号に基づいて、特定波長と送信先の受信系とを対応付ける波長変換制御手段を備え、この波長変換制御手段により送信先の受信系に対応付けられた特定波長に基づいて、複数の波長変換手段は、送信系から送信される音映像光信号の波長を変換し、光信号多重化手段は、変換された音映像光信号を多重化し、複数の光路分離手段は、多重化された音映像光信号を分離して各々の受信系に送信するものである。
【００２３】
この構成によって、一以上の送信系から一以上の受信系に波長の異なる音映像光信号を同時に送信できるようになると共に、各々の受信系で、所望の音映像光信号を受信できるようになる。これにより、各々の受信系で所望の映画、テレビ映像などを出力できるようになる。
【発明を実施するための最良の形態】
【００２４】
続いて、本発明に係る光信号伝送システム、光信号伝送方法、及び経路切替装置について、図面を参照しながら説明をする。
【実施例１】
【００２５】
図１は、本発明に係る第１の実施例としての音声映像光信号の伝送システム１００の構成例を示すブロック図である。図１に示す伝送システム１００は、光信号伝送システムの一例を構成し、音声映像信号の表示装置１−１、１−２、・・・、１−ｎ（ｎは表示装置１の最大接続数）、経路切替装置２、音声映像信号の送信装置３−１、３−２、・・・、３−ｍ（ｍは送信装置３の最大接続数）、第１の光ファイバ８、及び第３の光ファイバ１０を備える。
【００２６】
表示装置１は、光ファイバ８を介して経路切替装置２に接続され、この経路切替装置２は、光ファイバ１０を介して送信装置３に接続される。音声映像信号は、例えば映画、テレビ映像などの動画情報である。光ファイバ８及び１０は、光ファイバ中を両方向の信号が伝搬する一芯全二重通信がなされる。
【００２７】
表示装置１−１〜１−ｎは、一以上の受信装置の一例を構成し、新たに、表示装置１が光ファイバ８を介して経路切替装置２に接続された場合、表示装置１は、経路切替装置２を介して接続通知光信号を送信装置３へ送信する。また、表示装置１−１〜１−ｎは、経路切替装置２を介して送信装置３により送信される特定波長の経路設定用光信号を受信し、受信後、特定波長の経路設定用光信号に対する応答光信号を経路切替装置２へ送信する。また、送信装置３から音声映像光信号を受信して図示しないモニタなどに映像を表示すると共にスピーカーなどから音声を出力する。
【００２８】
ここで、経路設定用光信号とは、特定波長λＤ１の光信号、特定波長λＤ２の光信号、・・・、特定波長λＤｎの光信号までの各光信号をいう。また、応答光信号とは、表示装置１−１〜１−ｎの各固有識別子と特定波長λＤ１〜特定波長λＤｎとの対応関係の情報を含んでいる信号をいう。例えば、表示装置１−１の応答光信号には、特定波長「λＤ１」と表示装置１−１の固有識別子「Ａ−００１」の情報が含まれる。なお、この特定波長λＤ１の決定方法は、図２で説明する。
【００２９】
表示装置１は１−１〜１−ｎ、光ファイバ８は８−１〜８−ｎほど備えられ、各々の表示装置が各々の光ファイバを介して経路切替装置２に接続される。例えば、表示装置１−１は、光ファイバ８−１を介して経路切替装置２に接続される。なお、光ファイバ８及び１０は、伝送可能な光波長、帯域、距離が満たされれば、その材料や構造は不問である。
【００３０】
表示装置１−１は、例えば、受光素子４−１、発光素子５−１及び光信号のＩ／Ｏポート６−１を備える。受光素子４−１及び発光素子５−１は、Ｉ／Ｏポート６−１、光ファイバ８−１を介して経路切替装置２に接続される。受光素子４−１は、特定波長λＤ１〜特定波長λＤｎの全ての光信号を受光することが可能な素子であり、経路切替装置２から光信号を受光してこの光信号を電気信号に変換する。発光素子５−１は、接続通知光信号などの所定波長を発光することが可能な素子であり、電気信号を光信号に変換して経路切替装置２へ光信号を発光する。なお、受光素子４−２〜４−ｎも受光素子４−１と同様の素子であり、また、発光素子５−２〜５−ｎも発光素子５−１と同様の素子である。
【００３１】
例えば、新たに、表示装置１−１が光ファイバ８−１を介して経路切替装置２に接続された場合、表示装置１−１は、経路切替装置２を介して接続通知光信号を送信装置３−１へ送信する。送信後、表示装置１−１は、送信装置３−１から経路切替装置２を介して特定波長の経路設定用光信号を受信し、この経路設定用光信号の特定波長と表示装置１−１の固有識別子との情報を含んだ信号を応答光信号として経路切替装置２を介して送信装置３−１へ送信する。なお、表示装置１−２〜１−ｎに関しても同様の構成および作用である。
【００３２】
経路切替装置２は、光ファイバ８を介して表示装置１に接続され、また、光ファイバ１０を介して送信装置３に接続され、表示装置１から送信される接続通知光信号などを受信して送信装置３へ送信する。例えば、経路切替装置２は、表示装置１−１〜１−ｎから送信される接続通知光信号又は応答光信号をこの経路切替装置２に接続された最も若いポート番号に接続された送信装置３−１に送信する。なお、接続通知光信号又は応答光信号を経路切替装置２に接続された最も若いポート番号に接続された送信装置３−１に送信するようにしたが、これに限定されず、送信装置３−２〜３−ｎのいずれかに送信してもよい。
【００３３】
また、経路切替装置２は、送信装置３−１から送信された所定波長の経路設定用光信号を音声映像光信号の送信先を特定するための特定波長に変換し、特定波長に変換された経路設定用光信号を当該表示装置１に送信する。また、経路切替装置２は、表示装置１により送信された応答光信号に基づいて、特定波長と送信先の表示装置１とを対応付け、送信先の表示装置１に対応付けられた特定波長に基づいて、送信装置３から送信される音声映像光信号を波長分割多重し、その後、波長分割多重された音声映像光信号を分離して各々の表示装置１に送信する。
【００３４】
例えば、経路切替装置２は、経路切替手段１２−１〜１２−ｎ、波長変換制御部１３、光信号のＩ／Ｏポート１４−１〜１４−ｎ、光信号のＩ／Ｏポート１６−１〜１６−ｍ、波長変換手段２５−１〜２５−ｍ、光信号合波器２６、制御用光信号受信器３１、及び制御用光信号送信器３２を備える。
【００３５】
制御用光信号受信器３１は、光信号受信手段の一例を構成し、Ｉ／Ｏポート１４−１〜１４−ｎ、光ファイバ８−１〜８−ｎを介して表示装置１−１〜１−ｎに接続され、これらの表示装置１−１〜１−ｎから接続通知光信号を受信して制御用光信号送信器３２へ出力する。また、制御用光信号受信器３１は、表示装置１−１〜１−ｎから特定波長の経路設定用光信号に対する応答光信号を受信して制御用光信号送信器３２へ出力し、また、この応答信号を波長変換制御部１３に出力する。
【００３６】
制御用光信号送信器３２は、制御用光信号受信器３１に接続され、この制御用光信号受信器３１から接続通知光信号を入力し、例えば、Ｉ／Ｏポート１６−１、光ファイバ１０−１を介して送信装置３−１へ接続通知光信号を送信する。
【００３７】
波長変換制御部１３は、波長変換制御手段の一例を構成し、制御用光信号受信器３１に接続され、この制御用光信号受信器３１から応答信号を入力し、入力した応答信号の情報に基づいて特定波長と送信先の表示装置１とを対応付ける。例えば、波長変換制御部１３は、表示装置１−１から特定波長「λＤ１」と固有識別子「Ａ−００１」の情報が含まれた応答信号を入力した場合、固有識別子「Ａ−００１」と特定波長「λＤ１」との対応関係を図３に示す波長対照一覧テーブル２８に追加して保持する。同様にして、表示装置１−２〜１−ｎの固有識別子と特定波長λＤ２〜λＤｎとの対応関係についても波長対照一覧テーブル２８に追加して保持する。これにより、表示装置１−１〜１−ｎが受信する音声映像光信号の特定波長λＤ１〜λＤｎを経路切替装置２で取得できるようになる。なお、経路切替装置２の初期状態において、波長変換制御部１３は、波長変換手段２５−１〜２５−ｍが特定波長λＤ１の光信号を出力するように設定している。
【００３８】
波長変換手段２５−１〜２５−ｍは、波長変換制御部１３に接続され、この波長変換制御部１３により送信先の表示装置１に対応付けられた特定波長の情報を示す波長制御信号を入力する。また、波長変換手段２５−１〜２５−ｍは、Ｉ／Ｏポート１６−１〜１６−ｍ、光ファイバ１０−１〜１０−ｍを介して送信装置３−１〜３−ｍに接続され、これらの送信装置３−１〜３−ｍから音声映像光信号を受信する。また、波長変換手段２５−１は、送信装置３−１から経路を設定するための所定波長の経路設定用光信号を受信する。
【００３９】
波長変換手段２５−１〜２５−ｍは、波長変換制御部１３から入力した波長制御信号に基づいて送信装置３から送信される音映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【００４０】
光信号合波器２６は、光信号多重化手段の一例を構成し、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などを経路切替手段１２−１へ出力する。
【００４１】
経路切替手段１２−１は、光路分離手段の一例を構成し、光信号合波器２６に接続され、この光信号合波器２６により多重化された音声映像光信号又は該特定波長の経路設定用光信号を分離して表示装置１に送信する。経路切替手段１２−１は、Ｉ／Ｏポート１４−１、光ファイバ８−１を介して表示装置１−１に接続され、１以上の波長から構成される光信号の中から特定波長λＤ１の光信号を分離してこの表示装置１−１に出力する。このとき、経路切替手段１２−１は、他の波長の光信号を通過させて経路切替手段１２−２へ出力する。
【００４２】
経路切替手段１２−２は、経路切替手段１２−１に接続され、この経路切替手段１２−１から特定波長λＤ１以外の光信号を入力し、入力した光信号の特定波長に基づいて音声映像光信号を分離する。また、経路切替手段１２−２は、Ｉ／Ｏポート１４−２、光ファイバ８−２を介して表示装置１−２に接続され、１以上の波長から構成される光信号の中から特定波長λＤ２の光信号を分離してこの表示装置１−２に出力する。このとき、経路切替手段１２−２は、他の波長の光信号を通過させて経路切替手段１２−３へ出力する。
【００４３】
同様にして、経路切替手段１２−ｎは、経路切替手段１２−ｎ−１に接続され、この経路切替手段１２−ｎ−１から特定波長λＤ1〜Ｄｎー１以外の光信号を入力し、入力した光信号の波長に基づいて光信号を分離する。経路切替装置２は、経路切替手段１２−ｎまで波長に基づいて光信号の分離を続けるので、確実に該波長の光信号を表示装置１−１〜１−ｎへ伝送できるようになる。
【００４４】
経路切替手段１２−ｎは、Ｉ／Ｏポート１４−ｎ、光ファイバ８−ｎを介して表示装置１−ｎに接続され、分離された特定波長λＤｎの音声映像光信号をこの表示装置１−ｎに出力する。これにより、各々の表示装置１で、所望の音声映像光信号を受信できるようになる。従って、所望の映画、テレビ映像などを各々の表示装置１で表示できるようになる。なお、経路切替装置２に経路切替手段１２をｎ個ほど設けたが、経路切替手段１２の設置個数をｎ−１個にしてもよい。この場合、経路切替手段１２−ｎ−１を通過した光信号は、自動的に表示装置１−ｎへ伝送される。これにより、経路切替手段１２の設置個数を減少できるよになる。
【００４５】
音声映像信号の送信装置３は、光ファイバ１０を介して経路切替装置２に接続され、表示装置１から送信された接続通知光信号を受信し、受信後、音声映像光信号の経路を設定するための所定波長の経路設定用光信号を経路切替装置２へ送信する。例えば、送信装置３−１は、表示装置１−１から送信された接続通知光信号を受信し、受信後、送信装置３−１は所定波長λＤの経路設定用光信号を経路切替装置２へ送信する。
【００４６】
送信装置３−１は、例えば、受光素子１９−１、制御部２０−１、制御信号生成部２１−１、信号合波器２２−１、音声映像信号生成部２３−１、発光素子２４−１、及び光信号のＩ／Ｏポート２７−１を備える。
【００４７】
受光素子１９−１は、接続通知光信号などの所定波長を受光することが可能な素子であり、Ｉ／Ｏポート２７−１、光ファイバ１０−１を介して経路切替装置２に接続される。受光素子１９−１は、接続通知光信号などの所定波長の光を受光することが可能な素子であり、経路切替装置２を介して表示装置１から送信された接続通知光信号などを受光して光信号を電気信号に変換し、変換後の電気信号を制御部２０−１へ出力する。
【００４８】
制御部２０−１は、受光素子１９−１に接続され、受光素子１９−１から接続通知光信号又は応答光信号の電気信号を入力し、制御信号生成部２１−１に所定波長λＤの経路設定用信号を出力するように制御する。また、制御部２０−１は、受光素子１９−１から音声映像取得信号を入力した場合、音声映像信号生成部２３−１へ音声映像信号を出力するように制御する。
【００４９】
音声映像信号生成部２３−１は、制御部２０−１に接続され、この制御部２０−１が音声映像取得信号を入力した場合、制御部２０−１により音声映像信号を出力するように制御されて映画やテレビ映像などの音声映像信号を信号合波器２２−１に出力する。
【００５０】
制御信号生成部２１−１は、制御部２０−１に接続され、この制御部２０−１が接続通知光信号又は応答光信号を入力した場合、制御部２０−１により経路設定用信号を出力するように制御され、経路設定用信号を生成して信号合波器２２−１へ出力する。
【００５１】
信号合波器２２−１は、制御信号生成部２１−１および音声映像信号生成部２３−１に接続され、制御信号生成部２１−１から出力される経路設定用信号と音声映像信号生成部２３−１から出力される音声映像信号とを入力して合波し、合波された信号を発光素子２４−１へ出力する。
【００５２】
発光素子２４−１は、所定波長λＤの光を発光することが可能な素子であり、信号合波器２２−１に接続され、この信号合波器２２−１から音声映像信号および経路設定用信号を入力してこれらの電気信号を光信号に変換してＩ／Ｏポート２７、光ファイバ１０−１を介して経路切替装置２へ出力する。
【００５３】
なお、送信装置３−２に関しても同様の構成である。すなわち、送信装置３−２は、例えば、受光素子１９−２、制御部２０−２、制御信号生成部２１−２、信号合波器２２−２、音声映像信号生成部２３−２、発光素子２４−２、及び光信号のＩ／Ｏポート２７−２を備え、表示装置１から送信された音声映像取得光信号を受信し、受信後、音声映像光信号を経路切替装置２を介して表示装置１へ送信する。また、送信装置３−２は、接続通知光信号又は応答光信号を受信した場合、所定波長λＤの経路設定用光信号を経路切替装置２へ送信する。このようにして、送信装置３−１〜３−ｍは、経路設定用光信号および音声映像光信号を送信できるようになる。
【００５４】
図２は、表示装置１−１と特定波長を対応付ける例を示すシーケンスチャートである。図２に示す表示装置１−１が光ファイバ８−１を介して経路切替装置２に接続された場合、表示装置１−１は、経路切替装置２へ接続通知光信号Ｓ１を送信して経路設定用光信号Ｓ２の待機状態となる。経路切替装置２は、接続通知光信号Ｓ１を受信して送信装置３−１へこの接続通知光信号Ｓ１を送信する。
【００５５】
送信装置３−１は、経路切替装置２から送信された接続通知光信号Ｓ１を光ファイバ１０−１を介して受信し、所定波長λＤの経路設定用光信号Ｓ２を光ファイバ１０−１を介して経路切替装置２へ送信する。
【００５６】
経路切替装置２の波長変換手段２５−１は、所定波長λＤの経路設定用光信号Ｓ２を受信し、所定波長λＤの経路設定用光信号Ｓ２を波長変換制御部１３から入力した波長制御信号に基づいて特定波長λＤ１の経路設定用光信号Ｓ２に変換して光信号合波器２６を介して経路切替手段１２−１へ出力する。経路切替手段１２−１は、この特定波長λＤ１の経路設定用光信号Ｓ２を表示装置１−１に送信する。
【００５７】
経路設定用光信号Ｓ２の待機状態である表示装置１−１は、特定波長λＤ１の経路設定用光信号Ｓ２を受信して応答光信号Ｓ３を経路切替装置２へ送信する。経路切替装置２の波長変換制御部１３は、表示装置１−１から特定波長「λＤ１」と固有識別子「Ａ−００１」の情報が含まれた応答光信号Ｓ３の電気信号を入力し、固有識別子「Ａ−００１」と特定波長「λＤ１」との対応関係を波長対照一覧テーブル２８に追加して保持する。
【００５８】
また、波長変換制御部１３は、光信号を特定波長λＤ２に変換するように波長変換手段２５−１を制御し、波長変換手段２５−１は、送信装置３−１から所定波長λＤの経路設定用光信号Ｓ２を受信した場合、所定波長λＤの経路設定用光信号Ｓ２を特定波長λＤ２の経路設定用光信号Ｓ２に変換して光信号合波器２６を介して経路切替手段１２−１へ出力する。経路切替手段１２−１は、この特定波長λＤ２の経路設定用光信号Ｓ２を経路切替手段１２−２へ出力し、経路切替手段１２−２は、特定波長λＤ２の経路設定用光信号Ｓ２を表示装置１−２に送信する。表示装置１−２は、特定波長λＤ２の経路設定用光信号Ｓ２を受信して応答光信号Ｓ３を経路切替装置２へ送信する。経路切替装置２の波長変換制御部１３は、表示装置１−２から特定波長「λＤ２」と固有識別子「Ａ−００２」の情報が含まれた応答光信号Ｓ３の電気信号を入力し、固有識別子「Ａ−００２」と特定波長「λＤ２」との対応関係を波長対照一覧テーブル２８に追加して保持する。
【００５９】
これにより、経路切替装置２は、例えば表示装置１−１又は１−２から所望の音声映像信号を要求された場合、この波長対照一覧テーブル２８を参照して波長を決定し、決定された波長で送信装置３から送信される音声映像光信号を表示装置１−１又は１−２へ送信できるようになる。同様にして表示装置１−３〜１−ｎに対しても固有識別子と特定波長との対応関係が波長対照一覧テーブル２８に追加されて保持される。従って、経路切替装置２は、この波長対照一覧テーブル２８を参照して光信号の波長を設定し、波長が設定された音声映像光信号を表示装置１へ波長分割多重送信できるようになる。
【００６０】
図３は、波長対照一覧テーブル２８の例を示す説明図である。図３に示す波長対照一覧テーブル２８は、経路切替装置２の図示しないハードディスクやフラッシュＲＯＭ（Read Only Memory）などに保存され、「固有識別子」と「特定波長」の項目を有する。この固有識別子は、表示装置１−１〜１−ｎの固有の識別子であり、例えばこの固有識別子には、ＭＡＣ（Media Access Control）アドレスなどが使用される。固有識別子の項目には、これらの識別子が登録される。特定波長の項目には、特定波長λＤ１〜特定波長λＤｎの情報が登録される。
【００６１】
波長変換制御部１３により固有識別子ごとにいずれかの特定波長が決定され、固有識別子と特定波長との対応関係がこのテーブルに追加されて保持される。表示装置１−１（固有識別子がＡ−００１）が送信装置３−１へ所望の音声映像信号を要求した場合、波長変換制御部１３は、この波長対照一覧テーブル２８を参照して固有識別子「Ａ−００１」を検索キーにしてテーブルを検索し、検索後、波長変換手段２５−１を「Ａ−００１」に合致した特定波長「λＤ１」で光信号を変換するように制御する。これにより、経路切替装置２は、例えば送信装置３−１から音声映像光信号が送信された場合、特定波長「λＤ１」で音声映像光信号を変換して多重し、多重された音声映像光信号を分離して表示装置１−１へ送信できるようになる。
【００６２】
続いて、表示装置１−１と特定波長λＤ１を対応付ける場合における動作例を表示装置１、経路切替装置２、送信装置３の順番で説明する。
【００６３】
図４は、表示装置１の動作例を示すフローチャートである。図４に示すフローチャートのステップＴ１では、表示装置１−ｉ（ｉは任意）が経路切替装置２に接続される。例えば、表示装置１−１が、光ファイバ８−１を介して経路切替装置２に接続されてステップＴ２へ移行する。
【００６４】
ステップＴ２では、経路切替装置２を介して接続通知光信号を送信装置３へ送信する。例えば、表示装置１−１は、光ファイバ８−１、経路切替装置２、光ファイバ１０−１を介して接続通知光信号を送信装置３−１へ送信してステップＴ３へ移行する。
【００６５】
ステップＴ３では、経路切替装置２を介して送信装置３−１から送信された経路設定用光信号を表示装置１−ｋ（ｋ＝１，２，・・・ｎ）で受信する。例えば、表示装置１−１は、送信装置３−１から経路切替装置２を介して特定波長λＤ１の経路設定用光信号を受信してステップＴ４へ移行する。
【００６６】
ステップＴ４では、接続通知光信号を送信した表示装置（１−ｉ）と経路設定用光信号を受信した表示装置（１−ｋ）とが同一であるかを判定する。例えば、表示装置１−１が接続通知光信号を送信した場合、表示装置１−１は、待機状態となって送信装置３−１からの経路設定用光信号を一定時間待つ。表示装置１−１は、送信装置３−１からの経路設定用光信号を受信した場合、ステップＴ５へ移行する。また、送信装置３−１からの経路設定用光信号を受信しなかった場合、応答光信号を送信しない。
【００６７】
ステップＴ５では、経路切替装置２を介して応答光信号を送信装置３−１へ送信する。例えば、表示装置１−１は、経路設定用光信号の特定波長「λＤ１」と表示装置１−１の固有識別子「Ａ−００１」との情報を含んだ信号を応答光信号として経路切替装置２を介して送信装置３−１へ送信する。これにより、経路切替装置２は、表示装置１−１が受信する音声映像光信号の特定波長λＤ１を取得できるようになる。
【００６８】
図５は、経路切替装置２の動作例を示すフローチャートである。経路切替装置２の初期状態において、波長変換制御部１３は、波長変換手段２５−１〜２５−ｍが特定波長λＤ１の光信号を出力するように設定している。これを表示装置１と特定波長を対応付ける条件として、図５に示すフローチャートのステップＵ１では、表示装置１から接続通知光信号を受信して送信装置３−１へ送信する。例えば、制御用光信号受信器３１は、Ｉ／Ｏポート１４−１、光ファイバ８−１を介して表示装置１−１から接続通知光信号を受信して制御用光信号送信器３２へ出力し、制御用光信号送信器３２は、接続通知光信号を送信装置３−１へ送信してステップＵ２へ移行する。なお、経路切替装置２が表示装置１から接続通知光信号を受信したタイミングで、波長変換手段２５を上述した初期状態に波長変換制御部１３により設定してもよい。
【００６９】
ステップＵ２では、波長変換制御部１３により表示装置１の接続数をカウントする「ｋ」に１を代入してステップＵ３へ移行する。ステップＵ３では、波長変換手段により経路設定用光信号の波長を変換する。例えば、波長変換手段２５−１は、経路切替装置２の初期状態において、特定波長λＤ１の光信号を出力するように設定されている。波長変換手段２５−１は、送信装置３−１から出力された所定波長λＤの経路設定用光信号を特定波長λＤ１の経路設定用光信号に変換して光信号合波器２６へ出力する。光信号合波器２６は、波長変換手段２５から出力された光信号を合波し、合波後の光信号を経路切替手段１２−１へ出力してステップＵ４へ移行する。なお、ｋが「２」の場合、波長変換手段２５−１は、波長変換制御部１３により特定波長λＤ２の光信号を出力するように設定される。同様にして、ｋが「ｎ」の場合、波長変換手段２５−１は、波長変換制御部１３により特定波長λＤｎの光信号を出力するように設定される。
【００７０】
ステップＵ４では、タイマーのカウントを開始する。例えば、波長変換制御部１３は、光信号合波器２６が光信号を合波した後に、図示しないタイマーのカウントを開始してステップＵ５へ移行する。
【００７１】
ステップＵ５では、経路切替手段により経路設定用光信号の経路を切り替える。例えば、経路切替手段１２−１は、１以上の波長から構成される光信号の中から特定波長λＤ１の経路設定用光信号を分離して表示装置１−１に出力する。このとき、経路切替手段１２−１は、他の波長の光信号を通過させて経路切替手段１２−２へ出力してステップＵ６へ移行する。
【００７２】
ステップＵ６では、応答光信号を規定時間内に正常受信したかを判定する。例えば、波長変換制御部１３は、ステップＵ４でカウントを開始したタイマー値を参照して、この値と所定の規定値とを比較して規定時間内に正常受信したかを判定する。応答光信号を正常受信した場合、ステップＵ７へ移行する。応答光信号を正常受信しなかった場合、ステップＵ８へ移行する。
【００７３】
ステップＵ７では、波長対照一覧テーブル２８へ表示装置１の固有識別子と特定波長λＤｋを追加する。例えば、入力した応答光信号に、固有識別子「Ａ−００１」と特定波長「λＤ１」との情報が含まれていた場合、波長変換制御部１３は、固有識別子「Ａ−００１」と特定波長「λＤ１」との対応関係を図３に示した波長対照一覧テーブル２８に追加してステップＵ９へ移行する。
【００７４】
ステップＵ８では、経路設定用光信号の送信をリトライしたかを判定する。例えば、波長変換制御部１３は、リトライしたと判定した場合、ステップＵ９へ移行する。リトライしていなかったと判定した場合、ステップＵ３へ戻る。このようにして、表示装置１−１が接続されていないと直ぐに判断するのではなく、規定回数のリトライを実施するので、伝送路系の一時的な接触不良や、通信エラーなどで応答光信号を規定時間内に正常受信できなかった場合に対応できるようになる。
【００７５】
ステップＵ９では、ｋ＜ｎであるかを判定する。例えば、波長変換制御部１３は、カウンター値ｋが表示装置１の最大接続数ｎを超えていないかを判定する。カウンター値ｋが表示装置１の最大接続数ｎを超えていない場合、ステップＵ１０へ移行し、ステップＵ１０で、ｋ←ｋ＋１を代入してステップＵ３へ戻り、例えば、ｋが「２」の場合、波長変換手段２５−１は、波長変換制御部１３により特定波長λＤ２の光信号を出力するように設定される。カウンター値ｋが表示装置１の最大接続数ｎを超えている場合、ステップＵ１１へ移行する。
【００７６】
ステップＵ１１では、送信装置３−１に送信先と光波長との対応付けが終了したことを通知する。例えば、波長変換制御部１３は、制御用光信号送信器３２へ終了通知光信号を送信するように制御し、制御用光信号送信器３２は、送信装置３−１へ終了通知光信号を送信する。このようにして、表示装置１−１〜１−ｎが受信する音声映像光信号の特定波長λＤ１〜λＤｎを経路切替装置２で取得できるようになる。従って、経路切替装置２は、特定波長λＤ１〜λＤｎに基づいて音声映像光信号および経路設定用信号を波長分割多重し、表示装置１−１〜１−ｎへ同時に光信号を伝送できるようになる。
【００７７】
図６は、送信装置３の動作例を示すフローチャートである。図６に示すフローチャートのステップＶ１では、経路切替装置２を介して表示装置１−１から送信された接続通知光信号を受信する。例えば、受光素子１９−１は、Ｉ／Ｏポート２７−１、光ファイバ１０−１を介して表示装置１−１から送信された接続通知光信号を受光して光信号を電気信号に変換し、変換後の電気信号を制御部２０−１へ出力してステップＶ２へ移行する。
【００７８】
ステップＶ２では、経路切替装置２を介して表示装置１−１へ経路設定用光信号を送信する。例えば、制御部２０−１は、受光素子１９−１から接続通知信号の電気信号を入力し、この電気信号に基づいて、制御信号生成部２１−１に経路設定用信号を出力するように制御する。制御信号生成部２１−１は、所定波長λＤの経路設定用信号を生成して信号合波器２２−１へ出力し、信号合波器２２−１は、制御信号生成部２１−１から出力された経路設定用信号を入力して合波し、合波された信号を発光素子２４−１へ出力する。発光素子２４−１は、経路設定用信号を入力して経路設定用信号の電気信号を光信号に変換し、Ｉ／Ｏポート２７、光ファイバ１０−１を介して所定波長λＤの経路設定用光信号を経路切替装置２へ出力してステップＶ３へ移行する。
【００７９】
ステップＶ３では、経路切替装置２を介して表示装置１−１から応答光信号を受信する。例えば、受光素子１９−１は、Ｉ／Ｏポート２７−１、光ファイバ１０−１、経路切替装置２を介して表示装置１−１から応答光信号を受信してステップＶ４へ移行する。
【００８０】
ステップＶ４では、経路設定用光信号の送信が終了であるかを判定する。例えば、制御部２０−１は、経路切替装置２から終了通知信号を受信したかを判定する。経路切替装置２から終了通知信号を受信していなかった場合、ステップＶ２へ戻って表示装置１へ経路設定用光信号を送信する。経路切替装置２から終了通知信号を受信していた場合、経路設定用光信号の送信を終了する。このようにして、経路設定用光信号を全ての表示装置１へ送信できるようになる。
【００８１】
続いて、映画やテレビ映像などの音声映像光信号を表示装置１−１で受信する場合における動作例を表示装置１、経路切替装置２、送信装置３の順番で説明する。
【００８２】
図７は、表示装置１の動作例を示すフローチャートである。表示装置１−１の固有識別子「Ａ−００１」と特定波長「λＤ１」との対応関係が追加された波長対照一覧テーブル２８が経路切替装置２の図示しないハードディスクやフラッシュＲＯＭなどに保存されている。
【００８３】
これを表示装置１で音声映像光信号を受信する条件として、図７に示すフローチャートのステップＷ１では、経路切替装置２を介して表示装置１が映画やテレビ映像などの音声映像光信号を送信装置３から取得するための音声映像取得光信号を送信装置３へ送信する。例えば、表示装置１−１の図示しない操作部により、所望のコンテンツが選択される。このときに、表示装置１−１の図示しない制御部から発光素子５−１へ音声映像取得信号が出力され、発光素子５−１は、この信号の電気信号を光信号に変換して経路切替装置２へ音声映像取得光信号として発光してステップＷ２へ移行する。この音声映像取得光信号には、表示装置１−１の固有識別子「Ａ−００１」の情報、及び送信装置３−１に蓄積されている音声映像信号を呼び出す情報が含まれている。
【００８４】
ステップＷ２では、経路切替装置２を介して送信装置３から音声映像光信号を受信する。例えば、受光素子４−１は、Ｉ／Ｏポート６−１、光ファイバ８−１を介して経路切替装置２から音声映像光信号を受光してこの光信号を電気信号に変換して後段の処理へ電気信号を出力する。出力後、図示しないモニタなどに映像を表示すると共にスピーカーなどから音声を出力する。このようにして、表示装置１−１で、所望の音声映像光信号を受信できるようになる。
【００８５】
図８は、経路切替装置２の動作例を示すフローチャートである。表示装置１−１の固有識別子「Ａ−００１」と特定波長「λＤ１」との対応関係が追加された波長対照一覧テーブル２８が経路切替装置２の図示しないハードディスクやフラッシュＲＯＭなどに保存されている。
【００８６】
これを経路切替装置２で音声映像光信号の経路を切り替える条件として、図８に示すフローチャートのステップＸ１では、表示装置１から音声映像取得光信号を受信する。例えば、制御用光信号受信器３１は、表示装置１−１から音声映像取得光信号を受信して波長変換制御部１３及び制御用光信号送信機３２へ出力してステップＸ２及びＸ３へ移行する。
【００８７】
ステップＸ２及びＸ３では、波長対照一覧テーブルを検索し、検索合致した波長に波長変換手段を制御する。例えば、波長変換制御部１３は、制御用光信号受信器３１から音声映像取得光信号を入力し、この音声映像取得光信号から表示装置１−１の固有識別子「Ａ−００１」の情報、及び送信装置３−１に蓄積されている音声映像信号を呼び出す情報を抽出する。先ず、送信装置３−１に蓄積されている音声映像信号を呼び出す情報に基づいて、波長を変換する波長変換手段２５−１を特定する。次に、固有識別子「Ａ−００１」の情報に基づいて、この固有識別子「Ａ−００１」を検索キーにして波長対照一覧テーブル２８を検索し、検索後、「Ａ−００１」に合致した特定波長「λＤ１」で光信号を変換するように波長変換手段２５−１を制御してステップＸ４へ移行する。
【００８８】
ステップＸ４では、音声映像取得光信号を送信装置へ送信する。例えば、制御用光信号送信機３２は、制御用光信号受信器３１から入力した音声映像取得光信号をＩ／Ｏポート１６−１〜１６−ｍ、光ファイバ１０−１〜１０−ｍを介して送信装置３−１〜３−ｍへ音声映像取得光信号を送信してステップＸ５へ移行する。
【００８９】
ステップＸ５では、送信装置３から音声映像光信号を受信する。例えば、波長変換手段２５−１は、送信装置３−１から光ファイバ１０−１、Ｉ／Ｏポートを介して音声映像光信号を受信してステップＸ６へ移行する。
【００９０】
ステップＸ６では、音声映像光信号の波長を変換する。波長変換手段２５−１は、ステップＸ３で波長変換制御部１３によって特定波長「λＤ１」で光信号を変換するように制御されており、受信した所定波長λＤの音声映像光信号を特定波長λＤ１の音声映像光信号に変換して光信号合波器２６へ出力してステップＸ７へ移行する。
【００９１】
ステップＸ７では、音声映像光信号を合波する。例えば、光信号合波器２６は、波長変換手段２５−１から特定波長λＤ１の音声映像光信号を入力して合波し、合波後の音声映像光信号を経路切替手段１２−１へ出力してステップＸ８へ移行する。
【００９２】
ステップＸ８では、音声映像光信号の経路を変更する。例えば、経路切替手段１２−１は、１以上の波長から構成される音声映像光信号の中から特定波長λＤ１の音声映像光信号を分離し、Ｉ／Ｏポート１４−１、光ファイバ８−１を介して表示装置１−１に出力する。このとき、経路切替手段１２−１は、他の波長の光信号を通過させて経路切替手段１２−２へ出力する。このようにして、経路切替装置２に接続された一以上の表示装置１に波長の異なる音声映像光信号を同時に伝送できるようになる。
【００９３】
図９は、送信装置３の動作例を示すフローチャートである。図９に示すステップＹ１では、経路切替装置２を介して表示装置１から送信された音声映像取得光信号を受信する。例えば、受光素子１９−１は、Ｉ／Ｏポート２７−１、光ファイバ１０−１を介して表示装置１−１から送信された音声映像取得光信号を受光して光信号を電気信号に変換し、変換後の電気信号を制御部２０−１へ出力してステップＹ２へ移行する。
【００９４】
ステップＹ２では、表示装置が指定した送信装置かを判定する。例えば、制御部２０−１は、入力した音声映像取得信号に送信装置３−１に蓄積されている音声映像信号を呼び出す情報が含まれているかを判定する。送信装置３−１に蓄積されている音声映像信号を呼び出す情報が含まれている場合、ステップＹ３へ移行する。送信装置３−１に蓄積されている音声映像信号を呼び出す情報が含まれていない場合、音声映像光信号を送信せずに終了となる。
【００９５】
ステップＹ３では、音声映像光信号を経路切替装置２へ送信する。例えば、音声映像信号生成部２３−１は、制御部２０−１により音声映像信号を出力するように制御されて音声映像信号を信号合波器２２−１に出力する。信号合波器２２−１は、音声映像信号生成部２３−１から出力された音声映像信号を入力して合波し、合波された信号を発光素子２４−１へ出力する。発光素子２４−１は、信号合波器２２−１から音声映像信号を入力して電気信号を光信号に変換し、Ｉ／Ｏポート２７、光ファイバ１０−１を介して音声映像光信号を経路切替装置２へ送信する。
【００９６】
このように、本発明に係る第１の実施例としての光信号伝送システム１００及び光信号伝送方法によれば、一以上の音声映像の送信装置３から一以上の音声映像の表示装置１へ経路切替装置２を介して音声映像光信号を伝送する場合であって、経路切替装置２は、経路切替手段１２を有し、音声映像光信号の送信先を特定するための特定波長の経路設定用光信号を表示装置１へ送信し、送信後、表示装置１から送信される応答光信号に基づいて特定波長と送信先の表示装置１とを対応付け、送信先の表示装置１に対応付けられた特定波長に基づいて、送信装置３から送信される音声映像光信号を波長分割多重し、波長分割多重された音声映像光信号を経路切替手段１２により分離して各々の表示装置１に送信するものである。従って、一以上の送信装置３から一以上の表示装置１に波長の異なる音声映像光信号を同時に送信できるようになると共に、各々の表示装置１で、所望の音声映像光信号を受信できるようになる。これにより、各々の表示装置１で所望の映画、テレビ映像などを出力できるようになる。
【００９７】
また、本発明に係る第１の実施例としての経路切替装置２によれば、一以上の音声映像の送信装置３から一以上の音声映像の表示装置１へ伝送する音映像光信号の伝送経路を切り替える場合であって、音声映像光信号の送信先を特定するための特定波長の経路設定用光信号に対する表示装置１からの応答光信号に基づいて、特定波長と送信先の表示装置１とを対応付ける波長変換制御部１３を備え、この波長変換制御部１３により送信先の表示装置１に対応付けられた特定波長に基づいて、波長変換手段２５は、送信装置３から送信される音声映像光信号の波長を変換し、光信号合波器２６は、変換された音声映像光信号を多重化し、複数の経路切替手段１２は、多重化された音声映像光信号を分離して各々の表示装置１に送信するものである。従って、一以上の送信装置３から一以上の表示装置１に波長の異なる音声映像光信号を同時に送信できるようになると共に、各々の表示装置１で、所望の音声映像光信号を受信できるようになる。これにより、各々の表示装置１で所望の映画、テレビ映像などを出力できるようになる。
【実施例２】
【００９８】
図１０は、第２の実施例としての音声映像光信号の伝送システム２００の構成例を示すブロック図である。図１０に示す伝送システム２００は、音声映像信号の表示装置１’−１、１’−２、・・・、１’−ｎ、経路切替装置２０１、音声映像信号の送信装置３’−１、３’−２、・・・、３’−ｍ、第１の光ファイバ８’、第２の光ファイバ９、第３の光ファイバ１０’、及び第４の光ファイバ１１を備える。
【００９９】
表示装置１’は、光ファイバ８’及び９を介して経路切替装置２０１に接続され、この経路切替装置２０１は、光ファイバ１０’及び１１を介して送信装置３’に接続される。
【０１００】
表示装置１’−１〜１’−ｎは、経路切替装置２０１により送信された特定波長の経路設定用光信号を受信し、受信後、特定波長の経路設定用光信号に対する応答光信号を経路切替装置２０１へ送信する。また、送信装置３’から音声映像光信号を受信して図示しないモニタなどに映像を表示すると共にスピーカーなどから音声を出力する。
【０１０１】
表示装置１’は、１’−１〜１’−ｎ、光ファイバ８’及び９は、８’−１〜８’−ｎ、９−１〜９−ｎ、ほど備えられ、各々の表示装置が各々の光ファイバを介して経路切替装置２０１に接続される。例えば、表示装置１’−１は、光ファイバ８’−１及び９−１を介して経路切替装置２０１に接続される。なお、光ファイバ８’、９、１０’及び１１は、伝送可能な光波長、帯域、距離が満たされれば、その材料や構造は不問である。
【０１０２】
表示装置１’−１は、例えば、受光素子４−１、発光素子５−１、音声映像光信号の入力ポート６’−１、及び制御用光信号の出力ポート７−１を備える。受光素子４−１は、入力ポート６’−１、光ファイバ８’−１を介して経路切替装置２０１に接続され、経路切替装置２０１から光信号を受光して光信号を電気信号に変換する。発光素子５−１は、出力ポート７−１、光ファイバ９−１を介して経路切替装置２０１に接続され、電気信号を光信号に変換して経路切替装置２０１へ光信号を発光する。
【０１０３】
例えば、新たに、表示装置１’−１が光ファイバ８’−１及び９−１を介して経路切替装置２０１に接続された場合、表示装置１’−１は、経路切替装置２０１を介して接続通知光信号を送信装置３’へ送信する。送信後、表示装置１’−１は、送信装置３’から特定波長の経路設定用光信号を受信し、この経路設定用光信号の特定波長と表示装置１’−１の固有識別子との情報を含んだ信号を応答光信号として送信装置３へ送信する。なお、表示装置１’−２〜１’−ｎに関しても同様の構成および作用である。
【０１０４】
経路切替装置２０１は、光ファイバ８’及び９を介して表示装置１’に接続され、この表示装置１’から送信される接続通知光信号又は応答光信号を受信して送信装置３’へ送信する。また、経路切替装置２０１は、光ファイバ１０’及び１１を介して送信装置３’に接続され、この送信装置３’から送信される所定波長の経路設定用光信号を音声映像光信号の送信先を特定するための特定波長に変換し、特定波長に変換された経路設定用光信号を当該表示装置１’に送信する。また、経路切替装置２０１は、表示装置１’により送信された応答光信号に基づいて、特定波長と送信先の表示装置１’とを対応付け、送信先の表示装置１’に対応付けられた特定波長に基づいて、送信装置３’から送信される音声映像光信号を波長分割多重し、その後、波長分割多重された音声映像光信号を分離して各々の表示装置１’に送信する。
【０１０５】
例えば、経路切替装置２０１は、経路切替手段１２−１〜１２−ｎ、波長変換制御部１３、音声映像光信号の出力ポート１４’−１〜１４’−ｎ、制御用光信号の入力ポート１５−１〜１５−ｎ、音声映像光信号の入力ポート１６’、制御用光信号の出力ポート１７、波長変換手段２５−１〜２５−ｍ、光信号合波器２６、制御用光信号受信器３１、及び制御用光信号送信器３２を備える。
【０１０６】
制御用光信号受信器３１は、入力ポート１５−１〜１５−ｎ、光ファイバ９−１〜９−ｎを介して表示装置１’−１〜１’−ｎに接続され、これらの表示装置１’−１〜１’−ｎから接続通知光信号を受信して制御用光信号送信器３２へ出力する。また、制御用光信号受信器３１は、表示装置１’−１〜１’−ｎから応答光信号を受信して制御用光信号送信器３２へ出力し、応答信号を波長変換制御部１３へ出力する。
【０１０７】
制御用光信号送信器３２は、制御用光信号受信器３１に接続され、この制御用光信号受信器３１から接続通知光信号又は応答光信号を入力して出力ポート１７、光ファイバ１１を介して送信装置３’へ送信する。例えば、制御用光信号送信器３２は、接続通知光信号又は応答光信号をこの経路切替装置２０１の最も若いポート番号に接続された送信装置３’−１に送信する。
【０１０８】
波長変換制御部１３は、制御用光信号受信器３１に接続され、この制御用光信号受信器３１から応答信号を入力し、入力した応答信号の情報に基づいて光信号の波長変換を制御する。例えば、波長変換制御部１３は、表示装置１’−１から特定波長「λＤ１」と固有識別子「Ａ−００１」の情報が含まれた応答信号を入力した場合、固有識別子「Ａ−００１」と特定波長「λＤ１」との対応関係を図３に示した波長対照一覧テーブル２８に追加して保持する。同様にして、表示装置１’−２〜１’−ｎの固有識別子と特定波長λＤ２〜λＤｎとの対応関係についても波長対照一覧テーブル２８に追加して保持する。
【０１０９】
これにより、表示装置１’−１〜１’−ｎが受信する音声映像光信号の特定波長λＤ１〜λＤｎを経路切替装置２０１で取得できるようになる。なお、経路切替装置２０１の初期状態において、波長変換制御部１３は、波長変換手段２５−１〜２５−ｍを特定波長λＤ１の光信号を出力するように設定する。
【０１１０】
波長変換手段２５−１〜２５−ｍは、波長変換制御部１３に接続され、この波長変換制御部１３により送信先の表示装置１’に対応付けられた特定波長の情報を示す波長制御信号を入力する。また、波長変換手段２５−１〜２５−ｍは、入力ポート１６’−１〜１６’−ｍ、光ファイバ１０’−１〜１０’−ｍを介して送信装置３’−１〜３’−ｍに接続され、これらの送信装置３’−１〜３’−ｍから音声映像光信号を入力する。また、波長変換手段２５−１は、送信装置３’−１から経路を設定するための所定波長の経路設定用光信号を受信する。
【０１１１】
波長変換手段２５−１〜２５−ｍは、波長変換制御部１３から入力した波長制御信号に基づいて送信装置３’から送信される音声映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【０１１２】
光信号合波器２６は、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などを経路切替手段１２−１へ出力する。
【０１１３】
経路切替手段１２−１は、光信号合波器２６に接続され、この光信号合波器２６により多重化された音声映像光信号又は該特定波長の経路設定用光信号を分離して表示装置１’に送信する。例えば、経路切替手段１２−１は、出力ポート１４’−１、光ファイバ８’−１を介して表示装置１’−１に接続され、１以上の波長から構成される光信号の中から特定波長λＤ１の光信号を分離してこの表示装置１’−１に出力する。このとき、経路切替手段１２−１は、他の波長の光信号を通過させて経路切替手段１２−２へ出力する。
【０１１４】
経路切替手段１２−２は、経路切替手段１２−１に接続され、この経路切替手段１２−１から特定波長λＤ１以外の光信号を入力し、入力した光信号の波長に基づいて光信号を分離する。例えば、経路切替手段１２−２は、出力ポート１４’−２、光ファイバ８’−２を介して表示装置１’−２に接続され、１以上の波長から構成される光信号の中から特定波長λＤ２の光信号を分離してこの表示装置１’−２に出力する。このとき、経路切替手段１２−２は、他の波長の光信号を通過させて経路切替手段１２−３へ出力する。
【０１１５】
同様にして、経路切替手段１２−ｎは、経路切替手段１２−ｎ−１に接続され、この経路切替手段１２−ｎ−１から特定波長λＤ1〜Ｄｎ−１以外の光信号を入力し、入力した光信号の波長に基づいて光信号を分離する。例えば、経路切替手段１２−ｎは、出力ポート１４’−ｎ、光ファイバ８’−ｎを介して表示装置１’−ｎに接続され、分離された特定波長λＤｎの音声映像光信号をこの表示装置１’−ｎに出力する。なお、経路切替装置２０１に経路切替手段１２をｎ個ほど設けたが、経路切替手段１２の設置個数をｎ−１個にしてもよい。この場合、経路切替手段１２−ｎ−１を通過した光信号は、自動的に表示装置１−ｎへ伝送される。
【０１１６】
音声映像信号の送信装置３’は、光ファイバ１０’及び１１を介して経路切替装置２０１に接続され、表示装置１’から送信された接続通知光信号を受信し、受信後、音声映像光信号の経路を設定するための経路設定用光信号を経路切替装置２０１へ送信する。例えば、送信装置３’−１は、表示装置１’−１から送信された接続通知光信号を受信し、受信後、送信装置３’−１は所定波長λＤの経路設定用光信号を経路切替装置２０１へ送信する。
【０１１７】
例えば、送信装置３’−１は、制御用光信号の入力ポート１８−１、受光素子１９−１、制御部２０−１、制御信号生成部２１−１、信号合波器２２−１、音声映像信号生成部２３−１、発光素子２４−１、及び音声映像光信号の出力ポート２７’−１を備える。
【０１１８】
受光素子１９−１は、入力ポート１８−１、光ファイバ１１−１を介して経路切替装置２０１に接続される。受光素子１９−１は、経路切替装置２０１を介して表示装置１’から送信された接続通知光信号又は応答光信号などを受光して光信号を電気信号に変換し、変換後の電気信号を制御部２０−１へ出力する。
【０１１９】
制御部２０−１は、受光素子１９−１に接続され、受光素子１９−１から接続通知光信号又は応答光信号の電気信号を入力し、制御信号生成部２１−１に所定波長λＤの経路設定用信号を出力するように制御する。また、制御部２０−１は、受光素子１９−１から音声映像取得信号を入力した場合、音声映像信号生成部２３−１へ音声映像信号を出力するように制御する。
【０１２０】
音声映像信号生成部２３−１は、制御部２０−１に接続され、この制御部２０−１が音声映像取得信号を入力した場合、制御部２０−１により音声映像信号を出力するように制御されて音声映像信号を信号合波器２２−１に出力する。
【０１２１】
制御信号生成部２１−１は、制御部２０−１に接続され、この制御部２０−１が接続通知光信号又は応答光信号を入力した場合、制御部２０−１により経路設定用信号を出力するように制御されて所定波長λＤの経路設定用信号を生成して信号合波器２２−１へ出力する。
【０１２２】
信号合波器２２−１は、制御信号生成部２１−１および音声映像信号生成部２３−１に接続され、制御信号生成部２１−１から出力される経路設定用信号と音声映像信号生成部２３−１から出力される音声映像信号とを入力して合波し、合波された信号を発光素子２４−１へ出力する。
【０１２３】
発光素子２４−１は、信号合波器２２−１に接続され、この信号合波器２２−１から音声映像信号又は経路設定用信号を入力してこれらの電気信号を光信号に変換して出力ポート２７’−１、光ファイバ１０’−１を介して経路切替装置２０１へ出力する。
【０１２４】
なお、送信装置３’−２に関しても同様の構成および作用である。すなわち、送信装置３’−２は、例えば、入力ポート１８−２、受光素子１９−２、制御部２０−２、制御信号生成部２１−２、信号合波器２２−２、音声映像信号生成部２３−２、発光素子２４−２、及び光信号の出力ポート２７’−２を備え、表示装置１’から送信された音声映像取得光信号を受信し、受信後、音声映像光信号を経路切替装置２０１を介して表示装置１’へ送信する。また、送信装置３’−２は、接続通知光信号又は応答光信号を受信した場合、所定波長λＤの経路設定用光信号を経路切替装置２０１へ送信する。このようにして、送信装置３’−１〜３’−ｍは、経路設定用光信号および音声映像光信号を送信できるようになる。
【０１２５】
第２の実施例は、第１の実施例と比較して、光ファイバ８’及び９、光ファイバ１０’及び１１の各２本（２芯）の光ファイバで構成されている。これにより、光は信号が流れる方向で別々の光ファイバを伝搬するので、クロストークの影響を抑えることができるようになる。なお、光ファイバは２本となるが、各装置に装備される信号入力ポート、信号出力ポートは一体化してもよい。
【０１２６】
図１１は、経路切替装置２０２の構成例を示すブロック図である。図１１に示す経路切替装置２０２は、１以上の波長から構成される光信号の中から所定の光信号を分離するグレーティング構造を有する。
【０１２７】
経路切替装置２０２は、光ファイバ８’及び９を介して図１０に示した表示装置１’に接続され、この表示装置１’から送信される接続通知光信号を受信して図１０に示した送信装置３’へ送信する。また、経路切替装置２０２は、光ファイバ１０’及び１１を介して送信装置３’に接続され、この送信装置３’から送信される所定波長の経路設定用光信号を音声映像光信号の送信先を特定するための特定波長に変換し、特定波長に変換された経路設定用光信号を当該表示装置１’に送信する。また、経路切替装置２０２は、表示装置１’により送信された応答光信号に基づいて、特定波長と送信先の表示装置１’とを対応付け、送信先の表示装置１’に対応付けられた特定波長に基づいて、送信装置３’から送信される音声映像光信号を波長分割多重し、その後、波長分割多重された音声映像光信号を分離して各々の表示装置１’に送信する。
【０１２８】
例えば、経路切替装置２０２は、導波路グレーティング２１２−１〜２１２−ｎ、波長変換制御部１３、音声映像光信号の出力ポート１４’−１〜１４’−ｎ、制御用光信号の入力ポート１５−１〜１５−ｎ、音声映像光信号の入力ポート１６’−１〜１６’−ｍ、及び制御用光信号の出力ポート１７−１〜１７−ｍ、波長変換手段２５−１〜２５−ｍ、光信号合波器２６、制御用光信号受信器３１、及び制御用光信号送信器３２を備える。
【０１２９】
制御用光信号受信器３１は、入力ポート１５−１〜１５−ｎ、光ファイバ９−１〜９−ｎを介して表示装置１’−１〜１’−ｎに接続され、これらの表示装置１’−１〜１’−ｎから接続通知光信号を受信して制御用光信号送信器３２へ出力する。また、制御用光信号受信器３１は、表示装置１’−１〜１’−ｎから応答光信号を受信して制御用光信号送信器３２へ出力し、応答信号を波長変換制御部１３へ出力する。
【０１３０】
制御用光信号送信器３２は、制御用光信号受信器３１に接続され、この制御用光信号受信器３１から接続通知光信号を入力し、出力ポート１７−１、光ファイバ１１−１を介して送信装置３’−１へ接続通知光信号を送信する。
【０１３１】
波長変換制御部１３は、制御用光信号受信器３１に接続され、この制御用光信号受信器３１から応答信号を入力し、入力した応答信号の情報に基づいて光信号の波長変換を制御する。例えば、波長変換制御部１３は、表示装置１’−１から特定波長「λＤ１」と固有識別子「Ａ−００１」の情報が含まれた応答信号を入力した場合、固有識別子「Ａ−００１」と特定波長「λＤ１」との対応関係を図３に示した波長対照一覧テーブル２８に追加して保持する。同様にして、表示装置１’−２〜１’−ｎの固有識別子と特定波長λＤ２〜λＤｎとの対応関係についても波長対照一覧テーブル２８に追加して保持する。
【０１３２】
これにより、表示装置１’−１〜１’−ｎと音声映像光信号の特定波長λＤ１〜λＤｎとを対応づけできるようになる。なお、経路切替装置２０２の初期状態において、波長変換制御部１３は、波長変換手段２５−１〜２５−ｍが特定波長λＤ１の光信号を出力するように設定されている。
【０１３３】
波長変換手段２５−１〜２５−ｍは、波長変換制御部１３に接続され、この波長変換制御部１３により送信先の表示装置１’に対応付けられた特定波長の情報を示す波長制御信号を入力する。また、波長変換手段２５−１〜２５−ｍは、入力ポート１６’−１〜１６’−ｍ、光ファイバ１０’−１〜１０’−ｍを介して送信装置３’−１〜３’−ｍに接続され、これらの送信装置３’−１〜３’−ｍから音声映像光信号を入力する。また、波長変換手段２５−１は、送信装置３’−１から経路を設定するための所定波長の経路設定用光信号を受信する。
【０１３４】
波長変換手段２５−１〜２５−ｍは、波長変換制御部１３から入力した波長制御信号に基づいて送信装置３’から送信される音声映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【０１３５】
光信号合波器２６は、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などを導波路グレーティング２１２−１へ出力する。
【０１３６】
導波路グレーティング２１２−１は、光信号合波器２６に接続され、この光信号合波器２６により多重化された音声映像光信号又は該特定波長の経路設定用光信号を分離して表示装置１’に送信する。導波路グレーティング２１２−１は、出力ポート１４’−１、光ファイバ８’−１を介して表示装置１’−１に接続され、１以上の波長から構成される光信号の中から特定波長λＤ１の光信号を分離してこの表示装置１’−１に出力する。このとき、導波路グレーティング２１２−１は、他の波長の光信号を通過させて導波路グレーティング２１２−２へ出力する。
【０１３７】
導波路グレーティング２１２−２は、導波路グレーティング２１２−１に接続され、この導波路グレーティング２１２−１から特定波長λＤ１以外の光信号を入力し、入力した光信号の波長に基づいて光信号を分離する。また、導波路グレーティング２１２−２は、出力ポート１４’−２、光ファイバ８’−２を介して表示装置１’−２に接続され、１以上の波長から構成される光信号の中から特定波長λＤ２の光信号を分離してこの表示装置１’−２に出力する。このとき、導波路グレーティング２１２−２は、他の波長の光信号を通過させて導波路グレーティング２１２−３へ出力する。
【０１３８】
同様にして、導波路グレーティング２１２−ｎは、導波路グレーティング２１２−ｎ−１に接続され、この導波路グレーティング２１２−ｎ−１から特定波長λＤ1〜Ｄｎ−１以外の光信号を入力し、入力した光信号の波長に基づいて光信号を分離する。また、導波路グレーティング２１２−ｎは、出力ポート１４’−ｎ、光ファイバ８’−ｎを介して表示装置１’−ｎに接続され、分離された特定波長λＤｎの音声映像光信号をこの表示装置１’−ｎに出力する。
【０１３９】
ここで、グレーティングとは、伝送路上に周期的な屈折率変動を与えて特定の光波長のみを反射させる構造をいう。例えば、導波路グレーティングは、光ファイバのコア、或いは半導体や高分子化合物で作製される光導波路素子に、このグレーティングを施すことにより特定の光波長の信号を伝送路上で分離したり、逆に付加したりする。これにより、温度調整や反射波長の変換を行わない限り、基本的に動作電力は不要である。導波路グレーティングの作製過程は、例えば、光ファイバ製造技術の応用である火炎直接堆積（Flame Hydrolysis Deposition; FHD）法により、光導波路素子の下部クラッド層およびコア層となるガラス微粒子を堆積し、加熱してガラス膜を溶融透明化する。この後、半導体集積回路製造技術であるフォトリソグラフィと反応性イオンエッチング（Reactive Ion Etching; RIE）で所望の導波路パターンを形成し、再びＦＨＤ法により上部クラッドを形成する。
【０１４０】
これにより、例えば１以上の波長から構成される光信号の中から特定波長λＤ１の光信号のみを分離し、出力ポート１４’−１、光ファイバ８’−１を介して特定波長λＤ１の音声映像光信号を表示装置１’−１へ伝送する導波路グレーティング２１２−１を形成できるようになる。このとき、導波路グレーティング２１２−１は、他の波長の光信号を通過させて導波路グレーティング２１２−２へ出力する。
【０１４１】
導波路グレーティング２１２−２も同様の方法で形成され、１以上の波長から構成される光信号の中から特定波長λＤ２の光信号のみを分離し、出力ポート１４’−２、光ファイバ８’−２を介して特定波長λＤ２の音声映像光信号を表示装置１’−２へ伝送する。このとき、導波路グレーティング２１２−２は、他の波長の光信号を通過させて導波路グレーティング２１２−３へ出力する。このようにして、導波路グレーティング２１２−ｎまで波長に応じて光信号を分離して当該表示装置１’へ伝送する。これにより、一以上の表示装置１’に波長の異なる音声映像光信号を同時に伝送できるようになると共に、各々の表示装置１で、所望の音声映像光信号を受信できるようになる。
【０１４２】
なお、経路切替装置２０２に導波路グレーティング２１２をｎ個ほど設けたが、導波路グレーティング２１２の設置個数をｎ−１個にしてもよい。この場合、導波路グレーティング２１２−ｎ−１を通過した光信号は、自動的に表示装置１’−ｎへ伝送される。
【０１４３】
図１２は、経路切替装置２０３の構成例を示すブロック図である。図１２に示す経路切替装置２０３は、１以上の波長から構成される光信号の中から所定の光信号を分離するグレーティング構造を有する。
【０１４４】
経路切替装置２０３は、光ファイバ８’及び９を介して図１０に示した表示装置１’に接続され、この表示装置１’から送信される接続通知光信号を受信して図１０に示した送信装置３’へ送信する。また、経路切替装置２０３は、光ファイバ１０’及び１１を介して送信装置３’に接続され、この送信装置３’から送信される所定波長の経路設定用光信号を音声映像光信号の送信先を特定するための特定波長に変換し、特定波長に変換された経路設定用光信号を当該表示装置１’に送信する。また、経路切替装置２０３は、表示装置１’により送信された応答光信号に基づいて、特定波長と送信先の表示装置１’とを対応付け、送信先の表示装置１’に対応付けられた特定波長に基づいて、送信装置３’から送信される音声映像光信号を波長分割多重し、その後、波長分割多重された音声映像光信号を分離して各々の表示装置１’に送信する。
【０１４５】
例えば、経路切替装置２０３は、光ファイバグレーティング２１３−１〜２１３−ｎ、波長変換制御部１３、音声映像光信号の出力ポート１４’−１〜１４’−ｎ、制御用光信号の入力ポート１５−１〜１５−ｎ、音声映像光信号の入力ポート１６’−１〜１６’−ｍ、及び制御用光信号の出力ポート１７−１〜１７−ｍ、波長変換手段２５−１〜２５−ｍ、光信号合波器２６、制御用光信号受信器３１、及び制御用光信号送信器３２を備える。
【０１４６】
制御用光信号受信器３１は、入力ポート１５−１〜１５−ｎ、光ファイバ９−１〜９−ｎを介して表示装置１’−１〜１’−ｎに接続され、これらの表示装置１’−１〜１’−ｎから接続通知光信号を受信して制御用光信号送信器３２へ出力する。また、制御用光信号受信器３１は、表示装置１’−１〜１’−ｎから応答光信号を受信して制御用光信号送信器３２出力し、応答信号を波長変換制御部１３へ出力する。
【０１４７】
制御用光信号送信器３２は、制御用光信号受信器３１に接続され、この制御用光信号受信器３１から接続通知光信号を入力し、出力ポート１７−１、光ファイバ１１−１を介して送信装置３’−１へ接続通知光信号を送信する。
【０１４８】
波長変換制御部１３は、制御用光信号受信器３１に接続され、この制御用光信号受信器３１から応答信号を入力し、入力した応答信号の情報に基づいて光信号の波長変換を制御する。例えば、波長変換制御部１３は、表示装置１’−１から特定波長「λＤ１」と固有識別子「Ａ−００１」の情報が含まれた応答信号を入力した場合、固有識別子「Ａ−００１」と特定波長「λＤ１」との対応関係を図３に示した波長対照一覧テーブル２８に追加して保持する。同様にして、表示装置１’−２〜１’−ｎの固有識別子と特定波長λＤ２〜λＤｎとの対応関係についても波長対照一覧テーブル２８に追加して保持する。これにより、表示装置１’−１〜１’−ｎと音声映像光信号の特定波長λＤ１〜λＤｎとを対応づけできるようになる。なお、経路切替装置２０３の初期状態において、波長変換制御部１３は、波長変換手段２５−１〜２５−ｍが特定波長λＤ１の光信号を出力するように設定されている。
【０１４９】
波長変換手段２５−１〜２５−ｍは、波長変換制御部１３から入力した波長制御信号に基づいて送信装置３’から送信される音声映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【０１５０】
光信号合波器２６は、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などを光ファイバグレーティング２１３−１へ出力する。
【０１５１】
光ファイバグレーティング２１３−１は、光信号合波器２６に接続され、この光信号合波器２６により多重化された音声映像光信号又は該特定波長の経路設定用光信号を分離して表示装置１’に送信する。光ファイバグレーティング２１３−１は、出力ポート１４’−１、光ファイバ８’−１を介して表示装置１’−１に接続され、１以上の波長から構成される光信号の中から特定波長λＤ１の光信号を分離してこの表示装置１’−１に出力する。このとき、光ファイバグレーティング２１３−１は、他の波長の光信号を通過させて光ファイバグレーティング２１３−２へ出力する。
【０１５２】
光ファイバグレーティング２１３−２は、光ファイバグレーティング２１３−１に接続され、この光ファイバグレーティング２１３−１から特定波長λＤ１以外の光信号を入力し、入力した光信号の波長に基づいて光信号を分離する。また、光ファイバグレーティング２１３−２は、出力ポート１４’−２、光ファイバ８’−２を介して表示装置１’−２に接続され、１以上の波長から構成される光信号の中から特定波長λＤ２の光信号を分離してこの表示装置１’−２に出力する。このとき、光ファイバグレーティング２１３−２は、他の波長の光信号を通過させて光ファイバグレーティング２１３−３へ出力する。
【０１５３】
同様にして、光ファイバグレーティング２１３−ｎは、光ファイバグレーティング２１３−ｎ−１に接続され、この光ファイバグレーティング２１３−ｎ−１から特定波長λＤ1〜Ｄｎ−１以外の光信号を入力し、入力した光信号の波長に基づいて光信号を分離する。また、光ファイバグレーティング２１３−ｎは、出力ポート１４’−ｎ、光ファイバ８’−ｎを介して表示装置１’−ｎに接続され、分離された特定波長λＤｎの音声映像光信号をこの表示装置１’−ｎに出力する。なお、光ファイバグレーティングを使用する場合、反射光の伝送経路が入射光と同一であるため、反射光の伝送経路を分離するための経路変更素子３０が必要となる。
【０１５４】
光ファイバグレーティング（Fiber Bragg Grating; FBG）とは、紫外線を用いて光ファイバのコアの中に回折格子を形成し、光フィルタとしての機能を持たせた光ファイバ型デバイスである。回折格子を光ファイバ中に非破壊的に直接形成できるので、低損失、小型、信頼性、伝送用光ファイバとの整合性などの多くの利点を有している。
【０１５５】
光ファイバグレーティングは、例えば、ゲルマニア（GeO2）をドープした光ファイバのコアに、波長２５０ｎｍ前後の紫外光を照射して光誘起屈折率変化によりその屈折率を変化させて形成される。この光誘起屈折率変化の大きさは、ゲルマニアのドープ量に比例する。ＦＢＧは、光ファイバのコアに紫外光の干渉縞を形成し、周期的な屈折率変化を書き込んだもので、これは回折格子として機能する。
【０１５６】
これにより、例えば１以上の波長から構成される光信号の中から特定波長λＤ１の光信号のみを分離し、出力ポート１４’−１、光ファイバ８’−１を介して特定波長λＤ１の音声映像光信号を表示装置１’−１へ伝送する光ファイバグレーティング２１３−１を形成できるようになる。このとき、光ファイバグレーティング２１３−１は、他の波長の光信号を通過させて光ファイバグレーティング２１３−２へ出力する。
【０１５７】
光ファイバグレーティング２１３−２も同様の方法で形成され、１以上の波長から構成される光信号の中から特定波長λＤ２の光信号のみを分離し、出力ポート１４’−２、光ファイバ８’−２を介して特定波長λＤ２の音声映像光信号を表示装置１’−２へ伝送する。このとき、光ファイバグレーティング２１３−２は、他の波長の光信号を通過させて光ファイバグレーティング２１３−３へ出力する。このようにして、光ファイバグレーティング２１３−ｎまで波長に応じて光信号を分離して当該表示装置１’へ伝送する。これにより、一以上の表示装置１’に波長の異なる音声映像光信号を同時に伝送できるようになると共に、各々の表示装置１で、所望の音声映像光信号を受信できるようになる。
【０１５８】
なお、経路切替装置２０３に光ファイバグレーティング２１３をｎ個ほど設けたが、光ファイバグレーティング２１３の設置個数をｎ−１個にしてもよい。この場合、光ファイバグレーティング２１３−ｎ−１を通過した光信号は、自動的に表示装置１’−ｎへ伝送される。
【０１５９】
図１３は、経路切替装置２０４の構成例を示すブロック図である。図１３に示す経路切替装置２０４は、１以上の波長から構成される光信号の中から所定の当該光信号を分離する薄膜構造を有する。
【０１６０】
経路切替装置２０４は、光ファイバ８’及び９を介して図１０に示した表示装置１’に接続され、この表示装置１’から送信される接続通知光信号を受信して図１０に示した送信装置３’へ送信する。また、経路切替装置２０４は、光ファイバ１０’及び１１を介して送信装置３’に接続され、この送信装置３’から送信される所定波長の経路設定用光信号を音声映像光信号の送信先を特定するための特定波長に変換し、特定波長に変換された経路設定用光信号を当該表示装置１’に送信する。また、経路切替装置２０４は、表示装置１’により送信された応答光信号に基づいて、特定波長と送信先の表示装置１’とを対応付け、送信先の表示装置１’に対応付けられた特定波長に基づいて、送信装置３’から送信される音声映像光信号を波長分割多重し、その後、波長分割多重された音声映像光信号を分離して各々の表示装置１’に送信する。
【０１６１】
例えば、経路切替装置２０４は、薄膜フィルタ２１４−１〜２１４−ｎ、波長変換制御部１３、音声映像光信号の出力ポート１４’−１〜１４’−ｎ、制御用光信号の入力ポート１５−１〜１５−ｎ、音声映像光信号の入力ポート１６’−１〜１６’−ｍ、及び制御用光信号の出力ポート１７−１〜１７−ｍ、波長変換手段２５−１〜２５−ｍ、光信号合波器２６、制御用光信号受信器３１、及び制御用光信号送信器３２を備える。
【０１６２】
制御用光信号受信器３１は、入力ポート１５−１〜１５−ｎ、光ファイバ９−１〜９−ｎを介して表示装置１’−１〜１’−ｎに接続され、これらの表示装置１’−１〜１’−ｎから接続通知光信号を受信して制御用光信号送信器３２へ出力する。また、制御用光信号受信器３１は、表示装置１’−１〜１’−ｎから応答光信号を受信して制御用光信号送信器３２へ出力し、応答信号を波長変換制御部１３へ出力する。
【０１６３】
制御用光信号送信器３２は、制御用光信号受信器３１に接続され、この制御用光信号受信器３１から接続通知光信号を入力し、出力ポート１７−１、光ファイバ１１−１を介して送信装置３’−１へ接続通知光信号を送信する。
【０１６４】
波長変換制御部１３は、制御用光信号受信器３１に接続され、この制御用光信号受信器３１から応答信号を入力し、入力した応答信号の情報に基づいて光信号の波長変換を制御する。例えば、波長変換制御部１３は、表示装置１’−１から特定波長「λＤ１」と固有識別子「Ａ−００１」の情報が含まれた応答信号を入力した場合、固有識別子「Ａ−００１」と特定波長「λＤ１」との対応関係を図３に示した波長対照一覧テーブル２８に追加して保持する。同様にして、表示装置１’−２〜１’−ｎの固有識別子と特定波長λＤ２〜λＤｎとの対応関係についても波長対照一覧テーブル２８に追加して保持する。これにより、表示装置１’−１〜１’−ｎと音声映像光信号の特定波長λＤ１〜λＤｎとを対応づけできるようになる。なお、経路切替装置２０４の初期状態において、波長変換制御部１３は、波長変換手段２５−１〜２５−ｍが特定波長λＤ１の光信号を出力するように設定されている。
【０１６５】
波長変換手段２５−１〜２５−ｍは、波長変換制御部１３に接続され、この波長変換制御部１３により送信先の表示装置１’に対応付けられた特定波長の情報を示す波長制御信号を入力する。また、波長変換手段２５−１〜２５−ｍは、入力ポート１６’−１〜１６’−ｍ、光ファイバ１０’−１〜１０’−ｍを介して送信装置３’−１〜３’−ｍに接続され、これらの送信装置３’−１〜３’−ｍから音声映像光信号を入力する。また、波長変換手段２５−１は、送信装置３’−１から経路を設定するための所定波長の経路設定用光信号を受信する。
【０１６６】
波長変換手段２５−１〜２５−ｍは、波長変換制御部１３から入力した波長制御信号に基づいて送信装置３’から送信される音声映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【０１６７】
光信号合波器２６は、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などを薄膜フィルタ２１４−１へ出力する。
【０１６８】
薄膜フィルタ２１４−１は、光信号合波器２６に接続され、この光信号合波器２６により多重化された音声映像光信号又は該特定波長の経路設定用光信号を分離して表示装置１’に送信する。薄膜フィルタ２１４−１は、出力ポート１４’−１、光ファイバ８’−１を介して表示装置１’−１に接続され、１以上の波長から構成される光信号の中から特定波長λＤ１の光信号を分離してこの表示装置１’−１に出力する。このとき、薄膜フィルタ２１４−１は、他の波長の光信号を通過させて薄膜フィルタ２１４−２へ出力する。
【０１６９】
薄膜フィルタ２１４−２は、薄膜フィルタ２１４−１に接続され、この薄膜フィルタ２１４−１から特定波長λＤ１以外の光信号を入力し、入力した光信号の波長に基づいて光信号を分離する。また、薄膜フィルタ２１４−２は、出力ポート１４’−２、光ファイバ８’−２を介して表示装置１’−２に接続され、１以上の波長から構成される光信号の中から特定波長λＤ２の光信号を分離してこの表示装置１’−２に出力する。このとき、薄膜フィルタ２１４−２は、他の波長の光信号を通過させて薄膜フィルタ２１４−３へ出力する。
【０１７０】
同様にして、薄膜フィルタ２１４−ｎは、薄膜フィルタ２１４−ｎ−１に接続され、この薄膜フィルタ２１４−ｎ−１から特定波長λＤ1〜Ｄｎ−１以外の光信号を入力し、入力した光信号の波長に基づいて光信号を分離する。また、薄膜フィルタ２１４−ｎは、出力ポート１４’−ｎ、光ファイバ８’−ｎを介して表示装置１’−ｎに接続され、分離された特定波長λＤｎの音声映像光信号をこの表示装置１’−ｎに出力する。なお、薄膜フィルタを使用する場合、反射光の伝送経路が入射光と同一であるため、反射光の伝送経路を分離するための図１２に示した経路変更素子３０が必要となる。
【０１７１】
薄膜フィルタは、構成する材料の屈折率、層厚および層数によって、透過或いは反射する光の波長を選択する。これにより、例えば１以上の波長から構成される光信号の中から特定波長λＤ１の光信号のみを分離し、出力ポート１４’−１、光ファイバ８’−１を介して特定波長λＤ１の音声映像光信号を表示装置１’−１へ伝送する薄膜フィルタ２１４−１を形成できるようになる。このとき、薄膜フィルタ２１４−１は、他の波長の光信号を通過させて薄膜フィルタ２１４−２へ出力する。
【０１７２】
薄膜フィルタ２１４−２も同様の方法で形成され、１以上の波長から構成される光信号の中から特定波長λＤ２の光信号のみを分離し、出力ポート１４’−２、光ファイバ８’−２を介して特定波長λＤ２の音声映像光信号を表示装置１’−２へ伝送する。このとき、薄膜フィルタ２１４−２は、他の波長の光信号を通過させて薄膜フィルタ２１４−３へ出力する。このようにして、薄膜フィルタ２１４−ｎまで波長に応じて光信号を分離して当該表示装置１’へ伝送する。これにより、一以上の表示装置１’に波長の異なる音声映像光信号を同時に伝送できるようになると共に、各々の表示装置１で、所望の音声映像光信号を受信できるようになる。
【０１７３】
なお、経路切替装置２０４に薄膜フィルタ２１４をｎ個ほど設けたが、薄膜フィルタ２１４の設置個数をｎ−１個にしてもよい。この場合、薄膜フィルタ２１４−ｎ−１を通過した光信号は、自動的に表示装置１’−ｎへ伝送される。
【０１７４】
図１４は、経路切替装置２０５の構成例を示すブロック図である。図１４に示す経路切替装置２０５は、１以上の波長から構成される光信号の中から所定の光信号を分離するプリズム２１５を備える。
【０１７５】
経路切替装置２０５は、光ファイバ８’及び９を介して図１０に示した表示装置１’に接続され、この表示装置１’から送信される接続通知光信号を受信して図１０に示した送信装置３’へ送信する。また、経路切替装置２０５は、光ファイバ１０’及び１１を介して送信装置３’に接続され、この送信装置３’から送信される所定波長の経路設定用光信号を音声映像光信号の送信先を特定するための特定波長に変換し、特定波長に変換された経路設定用光信号を当該表示装置１’に送信する。また、経路切替装置２０５は、表示装置１’により送信された応答光信号に基づいて、特定波長と送信先の表示装置１’とを対応付け、送信先の表示装置１’に対応付けられた特定波長に基づいて、送信装置３’から送信される音声映像光信号を波長分割多重し、その後、波長分割多重された音声映像光信号を分離して各々の表示装置１’に送信する。
【０１７６】
例えば、経路切替装置２０５は、プリズム２１５、波長変換制御部１３、音声映像光信号の出力ポート１４’−１〜１４’−ｎ、制御用光信号の入力ポート１５−１〜１５−ｎ、音声映像光信号の入力ポート１６’−１〜１６’−ｍ、及び制御用光信号の出力ポート１７−１〜１７−ｍ、波長変換手段２５−１〜２５−ｍ、光信号合波器２６、制御用光信号受信器３１、及び制御用光信号送信器３２を備える。
【０１７７】
制御用光信号受信器３１は、入力ポート１５−１〜１５−ｎ、光ファイバ９−１〜９−ｎを介して表示装置１’−１〜１’−ｎに接続され、これらの表示装置１’−１〜１’−ｎから接続通知光信号を受信して制御用光信号送信器３２へ出力する。また、制御用光信号受信器３１は、表示装置１’−１〜１’−ｎから応答光信号を受信して制御用光信号送信器３２へ出力し、応答信号を波長変換制御部１３へ出力する。
【０１７８】
制御用光信号送信器３２は、制御用光信号受信器３１に接続され、この制御用光信号受信器３１から接続通知光信号を入力し、出力ポート１７−１、光ファイバ１１−１を介して送信装置３’−１へ接続通知光信号を送信する。
【０１７９】
波長変換制御部１３は、制御用光信号受信器３１に接続され、この制御用光信号受信器３１から応答信号を入力し、入力した応答信号の情報に基づいて光信号の波長変換を制御する。例えば、波長変換制御部１３は、表示装置１’−１から特定波長「λＤ１」と固有識別子「Ａ−００１」の情報が含まれた応答信号を入力した場合、固有識別子「Ａ−００１」と特定波長「λＤ１」との対応関係を図３に示した波長対照一覧テーブル２８に追加して保持する。同様にして、表示装置１’−２〜１’−ｎの固有識別子と特定波長λＤ２〜λＤｎとの対応関係についても波長対照一覧テーブル２８に追加して保持する。これにより、表示装置１’−１〜１’−ｎと音声映像光信号の特定波長λＤ１〜λＤｎとを対応づけできるようになる。なお、経路切替装置２０５の初期状態において、波長変換制御部１３は、波長変換手段２５−１〜２５−ｍが特定波長λＤ１の光信号を出力するように設定されている。
【０１８０】
波長変換手段２５−１〜２５−ｍは、波長変換制御部１３から入力した波長制御信号に基づいて送信装置３’から送信される音声映像光信号の波長を変換し、波長変換後の音声映像光信号を光信号合波器２６へ出力する。また、波長変換手段２５−１は、波長変換制御部１３から入力した波長制御信号に基づいて所定波長の経路設定用光信号を音声映像光信号の送信先を特定するための特定波長の経路設定用光信号に変換し、この特定波長の経路設定用光信号を光信号合波器２６へ出力する。
【０１８１】
光信号合波器２６は、波長変換手段２５−１〜２５−ｍに接続され、これらの波長変換手段２５−１〜２５−ｍから特定波長の経路設定用光信号又は音声映像光信号を入力して多重化し、多重化後の特定波長の経路設定用光信号などをプリズム２１５へ出力する。
【０１８２】
プリズム２１５は、光信号合波器２６に接続され、この光信号合波器２６により多重化された音声映像光信号又は該特定波長の経路設定用光信号を分離して表示装置１’に送信する。
【０１８３】
このプリズム２１５に対して入射角θ１で光が入射すると、スネルの法則（Snell's Law）に従って屈折光の屈折角θ２が決定される。屈折角θ２は、入射光側の媒体の屈折率をｎ１、屈折光側の媒体の屈折率をｎ２（ｎ１＜ｎ２）とすると、数１で与えられる。
【０１８４】
【数１】
2007318539.tif 000003
【０１８５】
ここで、プリズム２１５の材料によって屈折率が入射光の波長依存性を有することを利用すると、入射光の波長によって屈折率ｎ２が異なるため、屈折角θ２も異なってくる。
【０１８６】
これにより、例えば１以上の波長から構成される光信号の中から特定波長λＤ１の光信号のみを分離し、出力ポート１４’−１、光ファイバ８’−１を介して特定波長λＤ１の音声映像光信号を表示装置１’−１へ伝送するプリズム２１５を形成できるようになる。
【０１８７】
また、プリズム２１５は、１以上の波長から構成される光信号の中から特定波長λＤ２の光信号のみを分離し、出力ポート１４’−２、光ファイバ８’−２を介して特定波長λＤ２の音声映像光信号を表示装置１’−２へ伝送する。このようにして、特定波長λＤｎまでプリズム２１５は光信号を分離して当該表示装置１’へ伝送する。
【０１８８】
このように、本発明に係る第２の実施例としての光信号伝送システム２００及び光信号伝送方法によれば、一以上の音声映像の送信装置３’から一以上の音声映像の表示装置１’へ経路切替装置２０１を介して音声映像光信号を伝送する場合であって、経路切替装置２０１は、経路切替手段１２を有し、音声映像光信号の送信先を特定するための特定波長の経路設定用光信号を表示装置１’へ送信し、送信後、表示装置１’から送信される応答光信号に基づいて特定波長と送信先の表示装置１’とを対応付け、送信先の表示装置１’に対応付けられた特定波長に基づいて、送信装置３’から送信される音声映像光信号を波長分割多重し、波長分割多重された音声映像光信号を経路切替手段１２により分離して各々の表示装置１’に送信するものである。従って、一以上の送信装置３’から一以上の表示装置１’に波長の異なる音声映像光信号を同時に送信できるようになると共に、各々の表示装置１’で、所望の音声映像光信号を受信できるようになる。これにより、各々の表示装置１’で所望の映画、テレビ映像などを出力できるようになる。
【０１８９】
また、本発明に係る第２の実施例としての経路切替装置２０１によれば、一以上の音声映像の送信装置３’から一以上の音声映像の表示装置１’へ伝送する音映像光信号の伝送経路を切り替える場合であって、音声映像光信号の送信先を特定するための特定波長の経路設定用光信号に対する表示装置１’からの応答光信号に基づいて、特定波長と送信先の表示装置１’とを対応付ける波長変換制御部１３を備え、この波長変換制御部１３により送信先の表示装置１’に対応付けられた特定波長に基づいて、波長変換手段２５は、送信装置３’から送信される音声映像光信号の波長を変換し、光信号合波器２６は、変換された音声映像光信号を多重化し、複数の経路切替手段１２は、多重化された音声映像光信号を分離して各々の表示装置１’に送信するものである。従って、一以上の送信装置３’から一以上の表示装置１’に波長の異なる音声映像光信号を同時に送信できるようになると共に、各々の表示装置１’で、所望の音声映像光信号を受信できるようになる。これにより、各々の表示装置１’で所望の映画、テレビ映像などを出力できるようになる。
【産業上の利用可能性】
【０１９０】
動画などの音声映像情報を光信号として伝送するシステムに適用して好適である。
【図面の簡単な説明】
【０１９１】
【図１】本発明に係る第１の実施例としての音声映像光信号の伝送システム１００の構成例を示すブロック図である。
【図２】表示装置１−１と特定波長を対応付ける例を示すシーケンスチャートである。
【図３】波長対照一覧テーブル２８の例を示す説明図である。
【図４】表示装置１の動作例を示すフローチャートである。
【図５】経路切替装置２の動作例を示すフローチャートである。
【図６】送信装置３の動作例を示すフローチャートである。
【図７】表示装置１の動作例を示すフローチャートである。
【図８】経路切替装置２の動作例を示すフローチャートである。
【図９】送信装置３の動作例を示すフローチャートである。
【図１０】第２の実施例としての音声映像光信号の伝送システム２００の構成例を示すブロック図である。
【図１１】経路切替装置２０２の構成例を示すブロック図である。
【図１２】経路切替装置２０３の構成例を示すブロック図である。
【図１３】経路切替装置２０４の構成例を示すブロック図である。
【図１４】経路切替装置２０５の構成例を示すブロック図である。
【符号の説明】
【０１９２】
１・・・音声映像信号の表示装置（受信装置）、２・・・経路切替装置、３・・・音声映像信号の送信装置、８〜１１・・・第１〜第４の光ファイバ（光信号伝送路）、１２・・・経路切替手段（光路分離手段）、１３・・・波長変換制御部、２５・・・波長変換手段、２６・・・光信号合波器（光信号多重化手段）、３１・・・制御用光信号受信器、３２・・・制御用光信号送信器、２１２・・・導波路グレーティング（光路分離手段）、２１３・・・光ファイバグレーティング（光路分離手段）、２１４・・・薄膜フィルタ（光路分離手段）、２１５・・・プリズム（光路分離手段）
【図１】
2007318539.tif 000004
【図２】
2007318539.tif 000005
【図３】
2007318539.tif 000006
【図４】
2007318539.tif 000007
【図５】
2007318539.tif 000008
【図６】
2007318539.tif 000009
【図７】
2007318539.tif 000010
【図８】
2007318539.tif 000011
【図９】
2007318539.tif 000012
【図１０】
2007318539.tif 000013
【図１１】
2007318539.tif 000014
【図１２】
2007318539.tif 000015
【図１３】
2007318539.tif 000016
【図１４】
2007318539.tif 000017